(57)【要約】【課題】精神疾患の予防を支援すること。【解決手段】制御装置１１０は、メンバーが使用するメンバー用装置１１１から、メンバーによって入力されたメンバーの精神状態の指標値とコメントとを受信する。次に、制御装置１１０は、メンバーの識別情報に対応付けて、受信した指標値と、受信したコメントと、を制御装置１１０が有する記憶装置に記憶する。そして、制御装置１１０は、メンバー以外の支援者が使用する支援者用装置１１２から、支援者によって入力された医療従事者への通報が必要であることを示す情報を受信する。次に、制御装置１１０は、医療従事者が使用する医療従事者用装置１１３に、メンバーの識別情報と、メンバーの識別情報に対応付けて記憶装置に記憶された指標値とを送信する。【選択図】図１
2015052857.tif 000002
【特許請求の範囲】
【請求項１】
グループに属するメンバーを識別するメンバーの識別情報と、前記メンバーを支援する支援者を識別する支援者の識別情報と、医療従事者を識別する医療従事者の識別情報とを記憶する利用者記憶部を有するコンピュータが、
前記メンバーの識別情報に対応する第１の情報処理装置に、前記メンバーのコメントと精神状態を表す指標値とを入力する第１の入力画面を表す画面情報を送信し、
前記第１の情報処理装置から前記第１の入力画面に入力された前記コメントまたは／および前記指標値を受信し、
受信した前記コメントまたは／および前記指標値を前記メンバーの識別情報に対応付けて記憶部に記憶し、
前記支援者の識別情報に対応する第２の情報処理装置に、前記メンバーの識別情報に対応付けて前記記憶部に記憶されたコメントと、前記医療従事者への通報の要否を示す情報を入力する第２の入力画面を表す画面情報と、を送信し、
前記第２の情報処理装置から前記第２の入力画面に入力された前記医療従事者への通報が必要であることを示す情報を受信したことに応じて、前記医療従事者の識別情報に対応する第３の情報処理装置に、前記メンバーの識別情報に対応付けて記憶された情報を送信する、
処理を実行することを特徴とする精神疾患予防支援方法。
【請求項２】
前記利用者記憶部は、前記グループを管理する管理者を識別する管理者の識別情報を記憶し、
前記コンピュータが、
前記管理者の識別情報に対応する第４の情報処理装置に、前記記憶部に記憶された指標値に基づく前記グループにおける指標値の統計情報を送信する、
処理を実行することを特徴とする請求項１に記載の精神疾患予防支援方法。
【請求項３】
前記コンピュータが、
前記グループに属する他のメンバーの識別情報に対応する第５の情報処理装置に、前記メンバーへのメッセージを入力する第３の入力画面を表す画面情報を送信し、
前記第５の情報処理装置から前記第３の入力画面に入力された前記メッセージを受信したことに応じて、前記メンバーの識別情報に対応付けて、前記他のメンバーの識別情報と、受信した前記メッセージとを、前記記憶部に記憶し、
前記第１の情報処理装置に、前記メンバーの識別情報に対応付けて前記記憶部に記憶された他のメンバーの識別情報とメッセージとを送信する、
処理を実行することを特徴とする請求項１または２に記載の精神疾患予防支援方法。
【請求項４】
前記コンピュータが、
前記第２の情報処理装置から前記第２の入力画面に入力された前記医療従事者への通報が必要であることを示す情報を受信したことに応じて、前記第３の情報処理装置に、前記メンバーの識別情報と、前記メンバーの識別情報に対応付けて前記記憶部に記憶された指標値と他のメンバーの識別情報とメッセージとを送信する、
処理を実行することを特徴とする請求項３に記載の精神疾患予防支援方法。
【請求項５】
前記コンピュータが、
前記グループを管理する管理者に対応する第４の情報処理装置に、前記記憶部に記憶された他のメンバーの識別情報とメッセージとに基づく前記グループにおけるメッセージの統計情報を送信する、
処理を実行することを特徴とする請求項３または４に記載の精神疾患予防支援方法。
【請求項６】
前記第２の入力画面は、さらに、前記メンバーのコメントに対する応答コメントを入力する画面であって、
前記コンピュータが、
前記第２の情報処理装置から前記第２の入力画面に入力された前記応答コメントを受信したことに応じて、前記メンバーの識別情報に対応付けて、受信した前記応答コメントを前記記憶部に記憶し、
前記第１の情報処理装置に、前記メンバーの識別情報に対応付けて前記記憶部に記憶された応答コメントを送信する、
処理を実行することを特徴とする請求項１〜５のいずれか一つに記載の精神疾患予防支援方法。
【請求項７】
コンピュータに、
利用者記憶部にグループに属するメンバーを識別するメンバーの識別情報と、前記メンバーを支援する支援者を識別する支援者の識別情報と、医療従事者を識別する医療従事者の識別情報とを記憶させ、
前記メンバーの識別情報に対応する第１の情報処理装置に、前記メンバーのコメントと精神状態を表す指標値とを入力する第１の入力画面を表す画面情報を送信し、
前記第１の情報処理装置から前記第１の入力画面に入力された前記コメントまたは／および前記指標値を受信し、
前記メンバーの識別情報に対応付けて、受信した前記コメントまたは／および前記指標値を記憶部に記憶し、
前記支援者の識別情報に対応する第２の情報処理装置に、前記メンバーの識別情報に対応付けて前記記憶部に記憶されたコメントと、前記医療従事者への通報の要否を示す情報を入力する第２の入力画面を表す画面情報と、を送信し、
前記第２の情報処理装置から前記第２の入力画面に入力された前記医療従事者への通報が必要であることを示す情報を受信したことに応じて、前記医療従事者の識別情報に対応する第３の情報処理装置に、前記メンバーの識別情報に対応付けて記憶された情報を送信する、
処理を実行させることを特徴とする精神疾患予防支援プログラム。
【請求項８】
グループに属するメンバーを識別するメンバーの識別情報と、前記メンバーを支援する支援者を識別する支援者の識別情報と、医療従事者を識別する医療従事者の識別情報とを記憶する利用者記憶部と、
前記メンバーの識別情報に対応する第１の情報処理装置に、前記メンバーのコメントと精神状態を表す指標値とを入力する第１の入力画面を表す画面情報を送信し、
前記第１の情報処理装置から前記第１の入力画面に入力された前記コメントまたは／および前記指標値を受信し、
受信した前記コメントまたは／および前記指標値を前記メンバーの識別情報に対応付けて記憶部に記憶し、
前記支援者の識別情報に対応する第２の情報処理装置に、前記メンバーの識別情報に対応付けて前記記憶部に記憶されたコメントと、前記医療従事者への通報の要否を示す情報を入力する第２の入力画面を表す画面情報と、を送信し、
前記第２の情報処理装置から前記第２の入力画面に入力された前記医療従事者への通報が必要であることを示す情報を受信したことに応じて、前記医療従事者の識別情報に対応する第３の情報処理装置に、前記メンバーの識別情報に対応付けて記憶された情報を送信する制御部と、
を有することを特徴とする精神疾患予防支援装置。
【発明の詳細な説明】
【技術分野】
【０００１】
本発明は、精神疾患予防支援方法、精神疾患予防支援プログラム、および精神疾患予防支援装置に関する。
【背景技術】
【０００２】
従来、労働者の精神疾患による企業活動や社会活動への悪影響を防止するために、労働者の精神疾患を予防するための様々な取り組みが行われている。例えば、医療従事者による労働者の相談対応、プロジェクト管理者へのメンタルヘルス教育、または労働者のストレスチェックなどが行われている。関連する技術としては、例えば、指導対象者が摂取した食事の食事情報を受信し、指導対象者から受信した食事情報を指導対応者へ提示する。指導対応者は指導対象者の日々の食生活を観察し、食生活改善に対する指導を行う仕組みを提供するものがある。
【先行技術文献】
【特許文献】
【０００３】
【特許文献１】特開２０１１−１９１９２４号公報
【発明の概要】
【発明が解決しようとする課題】
【０００４】
しかしながら、従来技術では、労働者の精神疾患の予兆を発見できず、労働者の精神疾患を予防することができない場合がある。例えば、労働者の人数が膨大になると、労働者の相談対応のための時間が不足して、労働者の精神疾患の予兆を発見することが困難になる。
【０００５】
１つの側面では、本発明は、精神疾患の予防を支援することができる精神疾患予防支援方法、精神疾患予防支援プログラム、および精神疾患予防支援装置を提供することを目的とする。
【課題を解決するための手段】
【０００６】
本発明の一側面によれば、利用者記憶部にグループに属するメンバーを識別するメンバーの識別情報と、前記メンバーを支援する支援者を識別する支援者の識別情報と、医療従事者を識別する医療従事者の識別情報とを記憶させ、前記メンバーの識別情報に対応する第１の情報処理装置に、前記メンバーのコメントと精神状態を表す指標値とを入力する第１の入力画面を表す画面情報を送信し、前記第１の情報処理装置から前記第１の入力画面に入力された前記コメントまたは／および前記指標値を受信し、前記メンバーの識別情報に対応付けて、受信した前記コメントまたは／および前記指標値を記憶部に記憶し、前記支援者の識別情報に対応する第２の情報処理装置に、前記メンバーの識別情報に対応付けて前記記憶部に記憶されたコメントと、前記医療従事者への通報の要否を示す情報を入力する第２の入力画面を表す画面情報と、を送信し、前記第２の情報処理装置から前記第２の入力画面に入力された前記医療従事者への通報が必要であることを示す情報を受信したことに応じて、前記医療従事者の識別情報に対応する第３の情報処理装置に、前記メンバーの識別情報に対応付けて記憶された情報を送信する精神疾患予防支援方法、および精神疾患予防支援プログラムが提案される。
【０００７】
また、本発明の一側面によれば、グループに属するメンバーを識別するメンバーの識別情報と、前記メンバーを支援する支援者を識別する支援者の識別情報と、医療従事者を識別する医療従事者の識別情報とを記憶する利用者記憶部と、前記メンバーの識別情報に対応する第１の情報処理装置に、前記メンバーのコメントと精神状態を表す指標値とを入力する第１の入力画面を表す画面情報を送信し、前記第１の情報処理装置から前記第１の入力画面に入力された前記コメントまたは／および前記指標値を受信し、受信した前記コメントまたは／および前記指標値を前記メンバーの識別情報に対応付けて記憶部に記憶し、前記支援者の識別情報に対応する第２の情報処理装置に、前記メンバーの識別情報に対応付けて前記記憶部に記憶されたコメントと、前記医療従事者への通報の要否を示す情報を入力する第２の入力画面を表す画面情報と、を送信し、前記第２の情報処理装置から前記第２の入力画面に入力された前記医療従事者への通報が必要であることを示す情報を受信したことに応じて、前記医療従事者の識別情報に対応する第３の情報処理装置に、前記メンバーの識別情報に対応付けて記憶された情報を送信する制御部と、を有する精神疾患予防支援装置が提案される。
【発明の効果】
【０００８】
本発明の一態様によれば、精神疾患の予防を支援することができるという効果を奏する。
【図面の簡単な説明】
【０００９】
【図１】図１は、精神疾患予防支援システム１００の一実施例を示す説明図である。
【図２】図２は、図１に示した精神疾患予防支援システム１００のシステム構成の一例を示す説明図である。
【図３】図３は、制御装置１１０になるコンピュータのハードウェア構成例を示すブロック図である。
【図４】図４は、ログオンテーブル４００の記憶内容の一例を示す説明図である。
【図５】図５は、ニコニコマークテーブル５００の記憶内容の一例を示す説明図である。
【図６】図６は、つぶやきテーブル６００の記憶内容の一例を示す説明図である。
【図７】図７は、サンクストークンテーブル７００の記憶内容の一例を示す説明図である。
【図８】図８は、メンバーリストテーブル８００の記憶内容の一例を示す説明図である。
【図９】図９は、プロジェクト管理者ログオンテーブル９００の記憶内容の一例を示す説明図である。
【図１０】図１０は、プロジェクト管理者リストテーブル１０００の記憶内容の一例を示す説明図である。
【図１１】図１１は、支援者ログオンテーブル１１００の記憶内容の一例を示す説明図である。
【図１２】図１２は、集計テーブル１２００の記憶内容の一例を示す説明図である。
【図１３】図１３は、医療従事者ログオンテーブル１３００の記憶内容の一例を示す説明図である。
【図１４】図１４は、精神疾患予防支援装置の機能的構成例を示すブロック図である。
【図１５】図１５は、メンバーの登録の一例を示す説明図である。
【図１６】図１６は、メンバーのログオンの一例を示す説明図である。
【図１７】図１７は、メンバーの操作の一例を示す説明図である。
【図１８】図１８は、メンバーの指標値とコメントとの入力の一例を示す説明図である。
【図１９】図１９は、メンバーのサンクストークンの送信の一例を示す説明図である。
【図２０】図２０は、メンバーのサンクストークンの閲覧の一例を示す説明図である。
【図２１】図２１は、メンバーの一言アドバイスの閲覧の一例を示す説明図である。
【図２２】図２２は、プロジェクト管理者のログオンの一例を示す説明図である。
【図２３】図２３は、プロジェクト管理者の操作の一例を示す説明図である。
【図２４】図２４は、支援者の操作の一例を示す説明図である。
【図２５】図２５は、支援者の一言アドバイスの入力の一例を示す説明図である。
【図２６】図２６は、医療従事者の操作の一例を示す説明図である。
【図２７】図２７は、メンバーからのアクセスに対する制御装置１１０の応答処理手順の一例を示すフローチャート（その１）である。
【図２８】図２８は、メンバーからのアクセスに対する制御装置１１０の応答処理手順の一例を示すフローチャート（その２）である。
【図２９】図２９は、メンバーからのアクセスに対する制御装置１１０の応答処理手順の一例を示すフローチャート（その３）である。
【図３０】図３０は、メンバーからのアクセスに対する制御装置１１０の応答処理手順の一例を示すフローチャート（その４）である。
【図３１】図３１は、メンバーからのアクセスに対する制御装置１１０の応答処理手順の一例を示すフローチャート（その５）である。
【図３２】図３２は、メンバーからのアクセスに対する制御装置１１０の応答処理手順の一例を示すフローチャート（その６）である。
【図３３】図３３は、制御装置１１０の集計処理手順の一例を示すフローチャートである。
【図３４】図３４は、支援者からのアクセスに対する制御装置１１０の応答処理手順の一例を示すフローチャート（その１）である。
【図３５】図３５は、支援者からのアクセスに対する制御装置１１０の応答処理手順の一例を示すフローチャート（その２）である。
【図３６】図３６は、支援者からのアクセスに対する制御装置１１０の応答処理手順の一例を示すフローチャート（その３）である。
【図３７】図３７は、医療従事者からのアクセスに対する制御装置１１０の応答処理手順の一例を示すフローチャートである。
【図３８】図３８は、プロジェクト管理者からのアクセスに対する制御装置１１０の応答処理手順の一例を示すフローチャートである。
【発明を実施するための形態】
【００１０】
以下に添付図面を参照して、本発明にかかる精神疾患予防支援方法、精神疾患予防支援プログラム、および精神疾患予防支援装置の実施の形態を詳細に説明する。
【００１１】
（精神疾患予防支援システム１００の一実施例）
図１は、精神疾患予防支援システム１００の一実施例を示す説明図である。
【００１２】
精神疾患予防支援システム１００は、制御装置１１０と、メンバー用装置１１１と、支援者用装置１１２と、医療従事者用装置１１３と、を有するシステムである。
【００１３】
制御装置１１０は、精神疾患予防支援システム１００を制御するコンピュータである。制御装置１１０としては、例えば、サーバ、およびＰＣ（Ｐｅｒｓｏｎａｌ  Ｃｏｍｐｕｔｅｒ）などが採用される。
【００１４】
メンバー用装置１１１は、プロジェクトのグループに属するメンバーが使用するコンピュータである。メンバー用装置１１１としては、例えば、携帯端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、タブレット端末、スマートフォン、ノートＰＣ、およびＰＣなどが採用される。
【００１５】
支援者用装置１１２は、プロジェクトのグループに属さない、プロジェクトのグループのメンバーを支援する支援者が使用するコンピュータである。支援者用装置１１２としては、例えば、携帯端末、ＰＨＳ、ＰＤＡ、タブレット端末、スマートフォン、ノートＰＣ、およびＰＣなどが採用される。
【００１６】
医療従事者用装置１１３は、医療従事者が使用するコンピュータである。医療従事者用装置１１３としては、例えば、携帯端末、ＰＨＳ、ＰＤＡ、タブレット端末、スマートフォン、ノートＰＣ、およびＰＣなどが採用される。
【００１７】
図１の例では、（１）制御装置１１０は、メンバー用装置１１１に、メンバーのコメントと精神状態の指標値とを入力する第１の入力画面の画面情報を送信する。
【００１８】
（２）メンバー用装置１１１は、第１の入力画面の画面情報を受信し、受信した第１の入力画面の画面情報に基づいて、第１の入力画面を表示する。次に、メンバー用装置１１１は、メンバーが第１の入力画面に入力した精神状態の指標値とコメントとを受け付ける。そして、メンバー用装置１１１は、制御装置１１０に、受け付けた精神状態の指標値とコメントとを送信する。
【００１９】
（３）制御装置１１０は、精神状態の指標値とコメントとを受信した場合、メンバーの識別情報に対応付けて、受信した指標値と、受信したコメントと、を制御装置１１０が有する記憶装置に記憶する。そして、制御装置１１０は、支援者用装置１１２に、メンバーの識別情報とメンバーの識別情報に対応付けて記憶装置に記憶されたコメントとを含み、医療従事者への通報の要否を入力する第２の入力画面の画面情報を送信する。
【００２０】
（４）支援者用装置１１２は、第２の入力画面の画面情報を受信し、受信した第２の入力画面の画面情報に基づいて、第２の入力画面を表示する。次に、支援者用装置１１２は、支援者が第２の入力画面に入力した医療従事者への通報の要否を示す情報を受け付ける。そして、支援者用装置１１２は、受け付けた情報が医療従事者への通報が必要であることを示す情報である場合、制御装置１１０に、受け付けた情報を送信する。
【００２１】
（５）制御装置１１０は、医療従事者への通報が必要であることを示す情報を受信した場合、医療従事者用装置１１３に、メンバーの識別情報と、メンバーの識別情報に対応付けて記憶装置に記憶された指標値とを送信する。上述した（１）〜（５）の一連の動作は、一定の間隔で行われる。（１）〜（５）の動作は、例えば、勤務日ごとに行われる。
【００２２】
このように、精神疾患予防支援システム１００は、グループに属するメンバーが入力したコメントを、グループに属さない支援者に送信することにより、メンバーの精神疾患の予兆を発見する機会を支援者にまで広げることができる。また、精神疾患予防支援システム１００は、メンバーが入力したコメントを、グループに属する他のメンバーには閲覧させず、グループに属さない支援者に閲覧させることができる。これにより、精神疾患予防支援システム１００は、メンバーが、グループに属する他のメンバーとの人間関係およびグループに属しグループを管理するプロジェクト管理者からの人事評価などを気にすることなくコメントを入力することができる環境を提供することができる。また、これにより、精神疾患予防支援システム１００は、指標値を医療従事者に提供して、医療従事者にグループの状態を把握させることができ、医療従事者が精神疾患の対策をすることを支援することができる。
【００２３】
また、（６）精神疾患予防支援システム１００は、メンバーが入力した指標値の統計情報を算出してもよい。そして、精神疾患予防支援システム１００は、グループに属し、グループを管理するプロジェクト管理者が使用するプロジェクト管理者用装置１１４に、算出した統計情報を送信してもよい。
【００２４】
これにより、精神疾患予防支援システム１００は、プロジェクト管理者にグループの状態を把握させて、プロジェクト管理者にグループの状態改善を促すことができる。また、精神疾患予防支援システム１００は、グループに属するプロジェクト管理者には、メンバー個人の指標値そのものを閲覧させることなく、指標値に基づく統計情報にしてから閲覧させることができる。これにより、精神疾患予防支援システム１００は、メンバーが、グループに属する他のメンバーとの人間関係およびグループに属しグループを管理するプロジェクト管理者からの人事評価などを気にすることなく、指標値を入力することができる環境を提供することができる。
【００２５】
また、第２の入力画面は、さらに、医療従事者への通報が必要であると判断したメンバーに対する、支援者の所見を入力することができる画面であってもよい。この場合、支援者用装置１１２は、支援者が第２の入力画面に入力した、医療従事者への通報の要否を示す情報と、メンバーに対する支援者の所見とを受け付ける。そして、支援者用装置１１２は、受け付けた情報が医療従事者への通報が必要であることを示す情報である場合、制御装置１１０に、受け付けた情報と、メンバーに対する支援者の所見とを送信する。これにより、精神疾患予防支援システム１００は、メンバーに対する支援者の所見を医療従事者に提供して、医療従事者が精神疾患の対策をすることを支援することができる。
【００２６】
（精神疾患予防支援システム１００のシステム構成の一例）
図２は、図１に示した精神疾患予防支援システム１００のシステム構成の一例を示す説明図である。
【００２７】
図２において、ネットワーク２１０は、制御装置１１０と、メンバー用装置１１１と、支援者用装置１１２と、医療従事者用装置１１３と、プロジェクト管理者用装置１１４と、が通信可能な通信網である。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット、携帯電話網などにより実現される。
【００２８】
（コンピュータのハードウェア構成例）
図３は、制御装置１１０になるコンピュータのハードウェア構成例を示すブロック図である。
【００２９】
図３において、コンピュータは、プロセッサ３０１、記憶装置３０２、入力装置３０３、出力装置３０４、および通信装置３０５が、バス３０６に接続されている。
【００３０】
プロセッサ３０１は、コンピュータの全体の制御を司る。また、プロセッサ３０１は、記憶装置３０２に記憶されているＯＳ（Ｏｐｅｒａｔｉｎｇ  Ｓｙｓｔｅｍ）や本実施の形態の表示制御プログラムなどの各種プログラムを実行することで、記憶装置３０２内のデータを読み出したり、実行結果となるデータを記憶装置３０２に書き込んだりする。
【００３１】
記憶装置３０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、磁気ディスクドライブなどで構成され、プロセッサ３０１のワークエリアになったり、各種プログラムや、各種プログラムの実行により得られたデータを含む各種データを記憶したりする。
【００３２】
入力装置３０３は、キーボード、マウス、タッチパネルなどユーザの操作により、各種データの入力を行うインターフェースである。出力装置３０４は、プロセッサ３０１の指示により、データを出力するインターフェースである。出力装置３０４には、ディスプレイやプリンタが挙げられる。通信装置３０５は、ネットワークを介して外部からデータを受信したり、外部にデータを送信したりするインターフェースである。
【００３３】
また、メンバー用装置１１１と、支援者用装置１１２と、医療従事者用装置１１３と、プロジェクト管理者用装置１１４とのハードウェア構成例は、図３のコンピュータのハードウェア構成例と同様であるため、説明を省略する。また、メンバー用装置１１１と、支援者用装置１１２と、医療従事者用装置１１３と、プロジェクト管理者用装置１１４とは、さらに、光ディスクドライブ、光ディスク、およびスキャナなどを有していてもよい。
【００３４】
（ログオンテーブル４００の記憶内容）
次に、図４を用いて、ログオンテーブル４００の記憶内容の一例について説明する。ログオンテーブル４００は、例えば、図３に示した記憶装置３０２の記憶領域によって実現される。
【００３５】
図４は、ログオンテーブル４００の記憶内容の一例を示す説明図である。図４に示すように、ログオンテーブル４００は、メンバーＩＤ項目に対応付けて、パスワード項目と、機器ＩＤ項目と、を有し、メンバーごとに各項目に情報が設定されることにより、レコードを記憶する。
【００３６】
メンバーＩＤ項目には、メンバーに割り振られたメンバーＩＤが記憶される。メンバーＩＤは、例えば、メンバーの氏名であってもよい。パスワード項目には、メンバーＩＤ項目のメンバーＩＤが示すメンバーを認証するためのパスワードが記憶される。機器ＩＤ項目には、メンバーに対応する情報処理装置の識別情報が記憶される。情報処理装置の識別情報は、例えば、契約者固有ＩＤであってもよい。
【００３７】
例えば、レコード４０１は、メンバーＩＤ「ＰｊＭ００１」と、パスワード「ＹｍｄＴｒ」と、情報処理装置の識別情報「（登録なし）」と、を含むログオン情報を示す。
【００３８】
（ニコニコマークテーブル５００の記憶内容）
次に、図５を用いて、ニコニコマークテーブル５００の記憶内容の一例について説明する。ニコニコマークテーブル５００は、例えば、図３に示した記憶装置３０２の記憶領域によって実現される。
【００３９】
図５は、ニコニコマークテーブル５００の記憶内容の一例を示す説明図である。図５に示すように、ニコニコマークテーブル５００は、メンバーＩＤ項目に対応付けて、日付項目と、ニコニコマーク項目と、を有し、メンバーが入力したニコニコマークに対応する指標値ごとに各項目に情報が設定されることにより、レコードを記憶する。
【００４０】
メンバーＩＤ項目には、メンバーに割り振られたメンバーＩＤが記憶される。日付項目には、メンバーＩＤ項目のメンバーＩＤが示すメンバーがニコニコマークを入力した日付が記憶される。ニコニコマーク項目には、メンバーＩＤ項目のメンバーＩＤが示すメンバーが入力したニコニコマークに対応する指標値が記憶される。
【００４１】
例えば、レコード５０１は、メンバーＩＤ「ＰｊＭ００１」と、日付「２０１３／８／２２」と、ニコニコマークに対応する指標値「６」と、を含むニコニコマーク情報を示す。図５の例では、指標値は、高い値になるほど、精神状態がよい状態であることを示す。
【００４２】
（つぶやきテーブル６００の記憶内容）
次に、図６を用いて、つぶやきテーブル６００の記憶内容の一例について説明する。つぶやきテーブル６００は、例えば、図３に示した記憶装置３０２の記憶領域によって実現される。
【００４３】
図６は、つぶやきテーブル６００の記憶内容の一例を示す説明図である。図６に示すように、つぶやきテーブル６００は、メンバーＩＤ項目に対応付けて、フラグ項目と、日付項目と、つぶやき項目と、を有する。つぶやきテーブル６００は、メンバーが入力したつぶやき、または支援者が入力した一言アドバイスごとに各項目に情報が設定されることにより、レコードを記憶する。
【００４４】
メンバーＩＤ項目には、メンバーに割り振られたメンバーＩＤが記憶される。フラグ項目には、メンバーＩＤ項目のメンバーＩＤが示すメンバーが入力したつぶやきに関するレコードであるか、メンバーＩＤ項目のメンバーＩＤが示すメンバーが宛先になる一言アドバイスのレコードであるか、を示すフラグが記憶される。日付項目には、メンバーＩＤ項目のメンバーＩＤが示すメンバーがつぶやきを入力した日付、または支援者が一言アドバイスを入力した日付が記憶される。つぶやき項目には、メンバーＩＤ項目のメンバーＩＤが示すメンバーが入力したつぶやき、または支援者が入力した一言アドバイスが記憶される。
【００４５】
例えば、レコード６０１は、メンバーＩＤ「ＰｊＭ００１」と、フラグ「１」と、日付「２０１３／８／２２」と、コメント「昼飯まずかった」と、を含むつぶやき情報を示す。
【００４６】
（サンクストークンテーブル７００の記憶内容）
次に、図７を用いて、サンクストークンテーブル７００の記憶内容の一例について説明する。サンクストークンテーブル７００は、例えば、図３に示した記憶装置３０２の記憶領域によって実現される。
【００４７】
図７は、サンクストークンテーブル７００の記憶内容の一例を示す説明図である。図７に示すように、サンクストークンテーブル７００は、メンバーＩＤ項目に対応付けて、宛先メンバーＩＤ項目と、日付項目と、サンクストークン項目と、を有する。サンクストークンテーブル７００は、メンバーが入力したサンクストークンごとに各項目に情報が設定されることにより、レコードを記憶する。
【００４８】
メンバーＩＤ項目には、メンバーに割り振られたメンバーＩＤが記憶される。宛先メンバーＩＤ項目には、メンバーＩＤ項目のメンバーＩＤが示すメンバーが入力したサンクストークンの宛先になるメンバーのメンバーＩＤが記憶される。日付項目には、メンバーＩＤ項目のメンバーＩＤが示すメンバーがサンクストークンを入力した日付が記憶される。サンクストークン項目には、メンバーＩＤ項目のメンバーＩＤが示すメンバーが入力したサンクストークンが記憶される。
【００４９】
例えば、レコード７０１は、メンバーＩＤ「ＰｊＭ００１」と、宛先メンバーＩＤ「ＰｊＭ００２」と、日付「２０１３／８／２２」と、サンクストークン「メールシステムの更新ありがとう」と、を含むサンクストークン情報を示す。
【００５０】
（メンバーリストテーブル８００の記憶内容）
次に、図８を用いて、メンバーリストテーブル８００の記憶内容の一例について説明する。メンバーリストテーブル８００は、例えば、図３に示した記憶装置３０２の記憶領域によって実現される。
【００５１】
図８は、メンバーリストテーブル８００の記憶内容の一例を示す説明図である。図８に示すように、メンバーリストテーブル８００は、プロジェクトＩＤ項目に対応付けて、メンバーＩＤ項目と、を有し、プロジェクトのグループごとに各項目に情報が設定されることにより、レコードを記憶する。
【００５２】
プロジェクトＩＤ項目には、プロジェクトに割り振られたプロジェクトＩＤが記憶される。メンバーＩＤ項目には、プロジェクトＩＤ項目のプロジェクトＩＤが示すプロジェクトのグループに属するメンバーに割り振られたメンバーＩＤが記憶される。
【００５３】
例えば、レコード８０１は、プロジェクトＩＤ「Ｐｊ１」と、メンバーＩＤ「ＰｊＭ００１」と、を含むメンバーリスト情報を示す。メンバーリストテーブル８００は、さらに、氏名項目を有してもよい。氏名項目には、メンバーＩＤ項目のメンバーＩＤが示すメンバーの氏名が記憶される。
【００５４】
（プロジェクト管理者ログオンテーブル９００の記憶内容）
次に、図９を用いて、プロジェクト管理者ログオンテーブル９００の記憶内容の一例について説明する。プロジェクト管理者ログオンテーブル９００は、例えば、図３に示した記憶装置３０２の記憶領域によって実現される。
【００５５】
図９は、プロジェクト管理者ログオンテーブル９００の記憶内容の一例を示す説明図である。図９に示すように、プロジェクト管理者ログオンテーブル９００は、プロジェクト管理者ＩＤ項目に対応付けて、パスワード項目を有し、プロジェクト管理者ごとに各項目に情報が設定されることにより、レコードを記憶する。
【００５６】
プロジェクト管理者ＩＤ項目には、プロジェクトのグループを管理するプロジェクト管理者に割り振られたプロジェクト管理者ＩＤが記憶される。パスワード項目には、プロジェクト管理者ＩＤ項目のプロジェクト管理者ＩＤが示すプロジェクト管理者を認証するためのパスワードが記憶される。
【００５７】
例えば、レコード９０１は、プロジェクト管理者ＩＤ「ＰｊＬ００１」と、パスワード「ＳｚｋＴｔ」と、を含むプロジェクト管理者ログオン情報を示す。
【００５８】
（プロジェクト管理者リストテーブル１０００の記憶内容）
次に、図１０を用いて、プロジェクト管理者リストテーブル１０００の記憶内容の一例について説明する。プロジェクト管理者リストテーブル１０００は、例えば、図３に示した記憶装置３０２の記憶領域によって実現される。
【００５９】
図１０は、プロジェクト管理者リストテーブル１０００の記憶内容の一例を示す説明図である。図１０に示すように、プロジェクト管理者リストテーブル１０００は、プロジェクトＩＤ項目に対応付けて、プロジェクト管理者ＩＤ項目と、支援者ＩＤ項目と、を有し、プロジェクトのグループごとに各項目に情報が設定されることにより、レコードを記憶する。
【００６０】
プロジェクトＩＤ項目には、プロジェクトに割り振られたプロジェクトＩＤが記憶される。プロジェクト管理者ＩＤ項目には、プロジェクトＩＤ項目のプロジェクトＩＤが示すプロジェクトのグループを管理するプロジェクト管理者に割り振られたプロジェクト管理者ＩＤが記憶される。支援者ＩＤ項目には、プロジェクトＩＤ項目のプロジェクトＩＤが示すプロジェクトのグループに属するメンバーを支援する支援者に割り振られた支援者ＩＤが記憶される。
【００６１】
例えば、レコード１００１は、プロジェクト「Ｐｊ１」と、プロジェクト管理者ＩＤ「ＰｊＬ００１」と、支援者ＩＤ「ＰｊＳ００１」と、を含むプロジェクト管理者リスト情報を示す。プロジェクト管理者リストテーブル１０００は、さらに、プロジェクト管理者氏名項目と、支援者氏名項目とを有してもよい。プロジェクト管理者氏名項目には、プロジェクト管理者ＩＤ項目のプロジェクト管理者ＩＤが示すプロジェクト管理者の氏名が記憶される。支援者氏名項目には、支援者ＩＤ項目の支援者ＩＤが示す支援者の氏名が記憶される。
【００６２】
（支援者ログオンテーブル１１００の記憶内容）
次に、図１１を用いて、支援者ログオンテーブル１１００の記憶内容の一例について説明する。支援者ログオンテーブル１１００は、例えば、図３に示した記憶装置３０２の記憶領域によって実現される。
【００６３】
図１１は、支援者ログオンテーブル１１００の記憶内容の一例を示す説明図である。図１１に示すように、支援者ログオンテーブル１１００は、支援者ＩＤ項目に対応付けて、パスワード項目を有し、支援者ごとに各項目に情報が設定されることにより、レコードを記憶する。
【００６４】
支援者ＩＤ項目には、プロジェクトのグループに属するメンバーを支援する支援者に割り振られた支援者ＩＤが記憶される。パスワード項目には、支援者ＩＤ項目の支援者ＩＤが示す支援者を認証するためのパスワードが記憶される。
【００６５】
例えば、レコード１１０１は、支援者ＩＤ「ＰｊＳ００１」と、パスワード「ＹｓｄＮｙ」と、を含む支援者ログオン情報を示す。
【００６６】
（集計テーブル１２００の記憶内容）
次に、図１２を用いて、集計テーブル１２００の記憶内容の一例について説明する。集計テーブル１２００は、例えば、図３に示した記憶装置３０２の記憶領域によって実現される。
【００６７】
図１２は、集計テーブル１２００の記憶内容の一例を示す説明図である。図１２に示すように、集計テーブル１２００は、プロジェクトＩＤ項目に対応付けて、日付項目と、ニコニコ平均値項目と、ニコニコ参加率項目と、サンクス入力数項目と、サンクス参加率項目と、を有する。集計テーブル１２００は、プロジェクトごとに各項目に情報が設定されることにより、レコードを記憶する。
【００６８】
プロジェクトＩＤ項目には、プロジェクトのグループに割り振られたプロジェクトＩＤが記憶される。日付項目には、ニコニコマークに対応する指標値、およびサンクストークンを集計した日付が記憶される。ニコニコ平均値項目には、プロジェクトＩＤ項目のプロジェクトＩＤが示すプロジェクトのグループに属するメンバーが入力したニコニコマークに対応する指標値の平均値が記憶される。ニコニコ参加率項目には、プロジェクトＩＤ項目のプロジェクトＩＤが示すプロジェクトのグループに属するメンバーのうちのニコニコマークに対応する指標値を入力したメンバーの割合が記憶される。
【００６９】
サンクス入力数項目には、プロジェクトＩＤ項目のプロジェクトＩＤが示すプロジェクトのグループに属するメンバーが入力したサンクストークンの数が記憶される。サンクス参加率項目には、プロジェクトＩＤ項目のプロジェクトＩＤが示すプロジェクトのグループに属するメンバーのうちのサンクストークンを入力したメンバーの割合が記憶される。
【００７０】
例えば、レコード１２０１は、プロジェクトＩＤ「Ｐｊ１」と、日付「２０１３／８／２２」と、ニコニコ平均値「５」と、ニコニコ参加率「７０％」と、サンクス入力数「１０」と、サンクス参加率「６５％」と、を含む集計情報を示す。
【００７１】
集計テーブル１２００は、さらに、所見数項目と、所見受信日付項目とを有してもよい。所見項目には、プロジェクトＩＤ項目のプロジェクトＩＤが示すプロジェクトのグループに属するメンバーに対する支援者の所見を受信した数が記憶される。所見項目には、プロジェクトＩＤ項目のプロジェクトＩＤが示すプロジェクトのグループに属するメンバーについて支援者によって産業医への通報が必要であると判断された回数が記憶されてもよい。
【００７２】
所見受信日付項目には、プロジェクトＩＤ項目のプロジェクトＩＤが示すプロジェクトのグループに属するメンバーに対する支援者の所見を受信した最新の日付が記憶される。所見受信日付項目には、プロジェクトＩＤ項目のプロジェクトＩＤが示すプロジェクトのグループに属するメンバーについて支援者によって産業医への通報が必要であると判断された最新の日付が記憶されてもよい。
【００７３】
（医療従事者ログオンテーブル１３００の記憶内容）
次に、図１３を用いて、医療従事者ログオンテーブル１３００の記憶内容の一例について説明する。医療従事者ログオンテーブル１３００は、例えば、図３に示した記憶装置３０２の記憶領域によって実現される。
【００７４】
図１３は、医療従事者ログオンテーブル１３００の記憶内容の一例を示す説明図である。図１３に示すように、医療従事者ログオンテーブル１３００は、医療従事者ＩＤ項目に対応付けて、パスワード項目を有し、医療従事者ごとに各項目に情報が設定されることにより、レコードを記憶する。
【００７５】
医療従事者ＩＤ項目には、プロジェクトのグループに属するメンバーを支援する医療従事者に割り振られた医療従事者ＩＤが記憶される。パスワード項目には、医療従事者ＩＤ項目の医療従事者ＩＤが示す医療従事者を認証するためのパスワードが記憶される。
【００７６】
例えば、レコード１３０１は、医療従事者ＩＤ「ＰｊＤ００１」と、パスワード「ＭｄＡｋｎｒ」と、を含む医療従事者ログオン情報を示す。
【００７７】
（精神疾患予防支援装置の機能的構成例）
次に、図１４を用いて、精神疾患予防支援装置の機能的構成例について説明する。精神疾患予防支援装置は、例えば、図１に示した制御装置１１０である。
【００７８】
図１４は、精神疾患予防支援装置の機能的構成例を示すブロック図である。精神疾患予防支援装置は、記憶部１４０１と、通信部１４０２と、制御部１４０３と、を含む。
【００７９】
記憶部１４０１は、メンバーの識別情報に対応付けて、メンバーの認証情報を記憶する。ここで、メンバーの識別情報とは、メンバーに割り振られたメンバーＩＤである。メンバーの認証情報とは、メンバーに割り振られたパスワード、およびメンバーが使用する情報処理装置の機器ＩＤである。記憶部１４０１は、例えば、ログオンテーブル４００を記憶する。これにより、制御部１４０３は、記憶部１４０１に基づいて、メンバー用装置１１１からメンバーの認証情報を受信して、メンバーを認証することができる。
【００８０】
記憶部１４０１は、メンバーの識別情報に対応付けて、コメントまたは／および指標値を記憶する。ここで、コメントとは、メンバーによって入力されたテキストデータである。指標値とは、メンバーの精神状態を表す値である。記憶部１４０１は、例えば、ニコニコマークテーブル５００と、つぶやきテーブル６００と、を記憶する。これにより、制御部１４０３は、記憶部１４０１に基づいて、メンバー用装置１１１から受信したメンバーの指標値、およびコメントを、支援者用装置１１２などに送信することができる。
【００８１】
また、記憶部１４０１は、メンバーの識別情報に対応付けて、応答コメントを記憶部１４０１に記憶する。ここで、応答コメントとは、支援者によって入力されたメンバーに対する一言アドバイスである。記憶部１４０１は、例えば、つぶやきテーブル６００を記憶する。これにより、制御部１４０３は、記憶部１４０１に基づいて、メンバーにメンバー用装置１１１によって応答コメントを閲覧させることができる。
【００８２】
また、記憶部１４０１は、メンバーの識別情報に対応付けて、他のメンバーの識別情報と、メッセージとを、記憶する。ここで、メッセージとは、メンバーの間でやり取りされるメンバーによって入力されたテキストデータである。メッセージとは、例えば、サンクストークンである。記憶部１４０１は、例えば、サンクストークンテーブル７００を記憶する。これにより、制御部１４０３は、記憶部１４０１に基づいて、メンバーにメンバー用装置１１１を用いて、他のメンバーからのサンクストークンの内容を閲覧させることができる。
【００８３】
また、記憶部１４０１は、プロジェクトのグループの識別情報に対応付けて、プロジェクトのグループに属するメンバーの識別情報を記憶する。ここで、プロジェクトのグループの識別情報とは、プロジェクトに割り振られたプロジェクトＩＤである。記憶部１４０１は、例えば、メンバーリストテーブル８００を記憶する。これにより、制御部１４０３は、記憶部１４０１に基づいて、プロジェクトのグループに属するメンバーを特定することができる。
【００８４】
また、記憶部１４０１は、プロジェクト管理者の識別情報に対応付けて、プロジェクト管理者の認証情報を記憶する。ここで、プロジェクト管理者の識別情報とは、プロジェクト管理者ＩＤである。プロジェクト管理者の認証情報とは、プロジェクト管理者に割り振られたパスワードである。記憶部１４０１は、例えば、プロジェクト管理者ログオンテーブル９００を記憶する。これにより、制御部１４０３は、記憶部１４０１に基づいて、プロジェクト管理者用装置１１４からプロジェクト管理者の認証情報を受信して、プロジェクト管理者を認証することができる。
【００８５】
また、記憶部１４０１は、プロジェクトのグループの識別情報に対応付けて、プロジェクトのグループを管理するプロジェクト管理者の識別情報と、プロジェクトのグループに属するメンバーを支援する支援者の識別情報とを記憶する。ここで、支援者の識別情報とは、支援者に割り振られた支援者ＩＤである。記憶部１４０１は、例えば、プロジェクト管理者リストテーブル１０００を記憶する。これにより、制御部１４０３は、記憶部１４０１に基づいて、プロジェクトのグループを管理するプロジェクト管理者と、プロジェクトのグループに属するメンバーを支援する支援者とを特定することができる。
【００８６】
また、記憶部１４０１は、支援者の識別情報に対応付けて、支援者の認証情報を記憶する。ここで、支援者とは、職場づくり支援スタッフやその企業のＯＢなど、プロジェクトやメンバーの状況を推測でき、会話に反映できる能力を有し、かつ、プロジェクトのグループに属さない人材が好ましい。記憶部１４０１は、例えば、支援者ログオンテーブル１１００を記憶する。これにより、制御部１４０３は、記憶部１４０１に基づいて、支援者用装置１１２から支援者の認証情報を受信して、支援者を認証することができる。
【００８７】
また、記憶部１４０１は、メンバーのコメント、およびメンバーのサンクストークンに基づくグループの統計情報を記憶する。記憶部１４０１は、例えば、集計テーブル１２００を記憶する。これにより、制御部１４０３は、記憶部１４０１に基づいて、プロジェクト管理者にプロジェクト管理者用装置１１４を用いて、グループの統計情報を閲覧させることができる。
【００８８】
また、記憶部１４０１は、プロジェクトのグループの識別情報に対応付けて、プロジェクトに属するメンバーに対する支援者からの所見の数を記憶する。記憶部１４０１は、例えば、集計テーブル１２００を記憶する。これにより、制御部１４０３は、記憶部１４０１に基づいて、医療従事者に医療従事者用装置１１３を用いて、プロジェクトのグループに属するメンバーに対する支援者の所見の数を閲覧させることができる。また、記憶部１４０１は、メンバーの識別情報に対応付けて、メンバーに対する支援者の所見を記憶する。これにより、制御部１４０３は、記憶部１４０１に基づいて、医療従事者に医療従事者用装置１１３を用いて、メンバーに対する支援者の所見を閲覧させることができる。
【００８９】
また、記憶部１４０１は、医療従事者の識別情報に対応付けて、医療従事者の認証情報を記憶する。ここで、医療従事者とは、産業医・保健師・カウンセラーである。記憶部１４０１は、例えば、医療従事者ログオンテーブル１３００を記憶する。記憶部１４０１は、例えば、図３に示した記憶装置３０２により、その機能を実現する。これにより、制御部１４０３は、記憶部１４０１に基づいて、医療従事者用装置１１３から医療従事者の認証情報を受信して、医療従事者を認証することができる。
【００９０】
通信部１４０２は、メンバーが使用する第１の情報処理装置に対して、データの送受信を行う。ここで、第１の情報処理装置とは、例えば、図１に示したメンバー用装置１１１である。また、通信部１４０２は、支援者が使用する第２の情報処理装置に対して、データの送受信を行う。ここで、第２の情報処理装置とは、例えば、図１に示した支援者用装置１１２である。
【００９１】
また、通信部１４０２は、医療従事者が使用する第３の情報処理装置に対して、データの送受信を行う。ここで、第３の情報処理装置とは、例えば、図１に示した医療従事者用装置１１３である。また、通信部１４０２は、プロジェクト管理者が使用する第４の情報処理装置に対して、データの送受信を行う。ここで、第４の情報処理装置とは、例えば、図１に示したプロジェクト管理者用装置１１４である。
【００９２】
これにより、通信部１４０２は、外部のコンピュータとのデータのやり取りを行うことができる。通信部１４０２は、例えば、図３に示した通信装置３０５により、その機能を実現する。
【００９３】
〈指標値、またはコメントを受信する処理〉
制御部１４０３は、通信部１４０２を制御して、グループに属するメンバーに対応するメンバー用装置１１１に、第１の入力画面を表す画面情報を送信する。ここで、第１の入力画面とは、メンバーのコメントと精神状態を表す指標値とを入力する画面である。
【００９４】
制御部１４０３は、例えば、メンバー用装置１１１からメンバーの認証情報を受信したことに応じて、受信した認証情報に基づいてメンバーの認証を行う。そして、制御部１４０３は、メンバーの認証に成功したことに応じて、メンバー用装置１１１に、第１の入力画面を表す画面情報を送信する。
【００９５】
制御部１４０３は、具体的には、通信部１４０２を制御して、メンバーのログオン画面の画面情報をメンバー用装置１１１に送信する。次に、制御部１４０３は、通信部１４０２を制御して、メンバー用装置１１１から、ログオン画面に入力されたメンバーＩＤとパスワードとを受信する。そして、制御部１４０３は、受信したメンバーＩＤとパスワードとを対応付けたレコードがログオンテーブル４００に記憶されているか否かを判定する。そして、制御部１４０３は、ログオンテーブル４００に記憶されている場合に、メンバーの認証に成功したと判定して、通信部１４０２を制御して、第１の画面の画面情報をメンバー用装置１１１に送信する。
【００９６】
制御部１４０３は、メンバー用装置１１１から第１の入力画面に入力されたコメントまたは／および指標値を受信したことに応じて、メンバーの識別情報に対応付けて、受信したコメントまたは／および指標値を記憶部１４０１に記憶する。
【００９７】
制御部１４０３は、例えば、メンバー用装置１１１からコメントを受信したことに応じて、メンバーの認証において受信したメンバーＩＤと、受信したコメントとを対応付けて、つぶやきテーブル６００に追加する。また、制御部１４０３は、例えば、メンバー用装置１１１から指標値を受信したことに応じて、メンバーの認証において受信したメンバーＩＤと、受信した指標値とを対応付けて、ニコニコマークテーブル５００に追加する。これにより、制御部１４０３は、メンバーのコメントと精神状態を表す指標値とを受信して、記憶部１４０１に記憶することができる。
【００９８】
〈サンクストークンを受信する処理〉
制御部１４０３は、グループに属する他のメンバーに対応する第５の情報処理装置に、メンバーへのサンクストークンの内容を入力する第３の入力画面を表す画面情報を送信する。ここで、第５の情報処理装置とは、例えば、図１に示したメンバー用装置１１１である。
【００９９】
制御部１４０３は、他のメンバーが使用するメンバー用装置１１１から第３の入力画面に入力されたサンクストークンの内容を受信したことに応じて、メンバーの識別情報に対応付けて、他のメンバーの識別情報と、受信したサンクストークンの内容とを、記憶部１４０１に記憶する。制御部１４０３は、例えば、メンバーの識別情報に対応付けて、他のメンバーの識別情報と、受信したサンクストークンの内容とを、対応付けたレコードを、サンクストークンテーブル７００に追加する。これにより、制御部１４０３は、サンクストークンを記憶部１４０１に記憶しておき、メンバーにメンバー用装置１１１を用いて閲覧させることができる。
【０１００】
〈サンクストークンを送信する処理〉
制御部１４０３は、メンバー用装置１１１に、メンバーの識別情報に対応付けて記憶部１４０１に記憶された他のメンバーの識別情報とサンクストークンの内容とを送信する。制御部１４０３は、例えば、メンバー用装置１１１に、メンバーの識別情報に対応付けてサンクストークンテーブル７００に記憶された、他のメンバーの識別情報と、受信したサンクストークンの内容とを、送信する。これにより、制御部１４０３は、メンバーにメンバー用装置１１１を用いて、他のメンバーからのサンクストークンの内容を閲覧させることができる。
【０１０１】
〈統計情報を算出する処理〉
制御部１４０３は、記憶部１４０１に記憶された指標値に基づくグループにおける指標値の統計情報を算出する。制御部１４０３は、例えば、複数のプロジェクトのうちのいずれかのプロジェクトのプロジェクトＩＤを選択する。次に、制御部１４０３は、メンバーリストテーブル８００のうちで、選択したプロジェクトＩＤがプロジェクトＩＤ項目に設定されたレコードを特定して、特定したレコードのメンバーＩＤ項目に設定されたメンバーＩＤを抽出する。そして、制御部１４０３は、ニコニコマークテーブル５００のうちで、抽出したメンバーＩＤがメンバーＩＤ項目に設定されたレコードを特定して、特定したレコードの指標値項目に設定された指標値を抽出する。次に、制御部１４０３は、抽出した指標値の平均値や指標値を入力したメンバーの割合を算出する。そして、制御部１４０３は、例えば、選択したプロジェクトＩＤと、算出した指標値の平均値と、メンバーの割合とを対応付けたレコードを、集計テーブル１２００に追加する。
【０１０２】
また、制御部１４０３は、記憶部１４０１に記憶された他のメンバーの識別情報とサンクストークンとに基づくグループにおけるサンクストークンの統計情報を算出する。制御部１４０３は、例えば、複数のプロジェクトのうちのいずれかのプロジェクトのプロジェクトＩＤを選択する。次に、制御部１４０３は、メンバーリストテーブル８００のうちで、選択したプロジェクトＩＤがプロジェクトＩＤ項目に設定されたレコードを特定して、特定したレコードのメンバーＩＤ項目に設定されたメンバーＩＤを抽出する。そして、制御部１４０３は、サンクストークンテーブル７００のうちで、抽出したメンバーＩＤがメンバーＩＤ項目に設定されたレコードを特定する。次に、制御部１４０３は、特定したレコードのサンクストークン項目に設定されたサンクストークンを抽出して、サンクストークンの数やサンクストークンを入力したメンバーの割合を算出する。そして、制御部１４０３は、例えば、選択したプロジェクトＩＤと、算出したサンクストークンの数と、メンバーの割合とを対応付けたレコードを、集計テーブル１２００に追加する。これにより、制御部１４０３は、メンバーの指標値やサンクストークンの内容そのものではない、グループの統計情報を作成することができる。
【０１０３】
〈統計情報を送信する処理〉
制御部１４０３は、グループを管理するプロジェクト管理者に対応するプロジェクト管理者用装置１１４に、記憶部１４０１に記憶された指標値に基づくグループにおける指標値の統計情報を送信する。また、制御部１４０３は、グループを管理するプロジェクト管理者に対応するプロジェクト管理者用装置１１４に、記憶部１４０１に記憶された他のメンバーの識別情報とサンクストークンとに基づくグループにおけるサンクストークンの統計情報を送信する。
【０１０４】
制御部１４０３は、例えば、プロジェクト管理者用装置１１４からプロジェクト管理者の認証情報を受信したことに応じて、受信した認証情報に基づいてプロジェクト管理者の認証を行う。次に、制御部１４０３は、プロジェクト管理者の認証に成功したことに応じて、プロジェクト管理者用装置１１４に、記憶部１４０１に記憶された指標値に基づくグループにおける指標値の統計情報を送信する。また、制御部１４０３は、プロジェクト管理者用装置１１４に、記憶部１４０１に記憶された他のメンバーの識別情報とサンクストークンとに基づくグループにおけるサンクストークンの統計情報を送信する。
【０１０５】
制御部１４０３は、具体的には、通信部１４０２を制御して、プロジェクト管理者のログオン画面の画面情報をプロジェクト管理者用装置１１４に送信する。次に、制御部１４０３は、通信部１４０２を制御して、プロジェクト管理者用装置１１４から、ログオン画面に入力されたプロジェクト管理者ＩＤとパスワードとを受信する。そして、制御部１４０３は、受信したプロジェクト管理者ＩＤとパスワードとを対応付けたレコードがプロジェクト管理者ログオンテーブル９００に記憶されているか否かを判定する。
【０１０６】
ここで、制御部１４０３は、プロジェクト管理者ログオンテーブル９００に記憶されている場合に、プロジェクト管理者の認証に成功したと判定する。そして、制御部１４０３は、通信部１４０２を制御して、プロジェクト管理者の認証に成功したと判定すると、算出したニコニコマークテーブル５００に記憶された指標値に基づくグループにおける指標値の統計情報をプロジェクト管理者用装置１１４に送信する。
【０１０７】
また、制御部１４０３は、通信部１４０２を制御して、プロジェクト管理者用装置１１４に、算出したサンクストークンテーブル７００に記憶された他のメンバーの識別情報とサンクストークンとに基づくグループにおけるサンクストークンの統計情報を送信する。これにより、制御部１４０３は、プロジェクト管理者にプロジェクト管理者用装置１１４を用いて、グループの統計情報を閲覧させることができる。
【０１０８】
〈通報の要否を受信する処理〉
制御部１４０３は、グループに属するメンバー以外であって、メンバーを支援する支援者に対応する支援者用装置１１２に、メンバーの識別情報に対応付けて記憶部１４０１に記憶されたコメントと、第２の入力画面を表す画面情報と、を送信する。第２の入力画面とは、医療従事者への通報の要否を示す情報を入力する画面である。
【０１０９】
制御部１４０３は、例えば、支援者用装置１１２から支援者の認証情報を受信したことに応じて、受信した認証情報に基づいて支援者の認証を行う。そして、制御部１４０３は、支援者の認証に成功したことに応じて、支援者用装置１１２に、メンバーの識別情報に対応付けて記憶部１４０１に記憶されたコメントと、第２の入力画面を表す画面情報と、を送信する。
【０１１０】
制御部１４０３は、具体的には、通信部１４０２を制御して、支援者のログオン画面の画面情報を支援者用装置１１２に送信する。次に、制御部１４０３は、通信部１４０２を制御して、支援者用装置１１２から、ログオン画面に入力された支援者ＩＤとパスワードとを受信する。次に、制御部１４０３は、受信した支援者ＩＤとパスワードとを対応付けたレコードが支援者ログオンテーブル１１００に記憶されているか否かを判定する。そして、制御部１４０３は、支援者ログオンテーブル１１００に記憶されている場合に、支援者の認証に成功したと判定して、通信部１４０２を制御して、第２の入力画面の画面情報を支援者用装置１１２に送信する。
【０１１１】
また、第２の入力画面は、さらに、メンバーのコメントに対する応答コメントを入力することができる画面であってもよい。この場合、制御部１４０３は、支援者用装置１１２から第２の入力画面に入力された応答コメントを受信したことに応じて、メンバーの識別情報に対応付けて、受信した応答コメントを記憶部１４０１に記憶する。そして、制御部１４０３は、メンバー用装置１１１に、メンバーの識別情報に対応付けて記憶部１４０１に記憶された応答コメントを送信する。
【０１１２】
これにより、制御部１４０３は、支援者用装置１１２にコメントの内容を送信して、支援者に医療従事者への通報が必要か否かを判断させることができる。また、制御部１４０３は、メンバー用装置１１１に応答コメントの内容を送信して、メンバーと支援者との交流を活性化することができる。
【０１１３】
また、第２の入力画面は、さらに、医療従事者への通報が必要であると判断したメンバーに対する、支援者の所見を入力することができる画面であってもよい。この場合、制御部１４０３は、支援者用装置１１２から第２の入力画面に入力された所見を受信したことに応じて、メンバーの識別情報に対応付けて、受信した所見の内容を記憶部１４０１に記憶する。また、制御部１４０３は、プロジェクトのグループの識別情報に対応付けて、プロジェクトに属するメンバーに対する支援者からの所見の数を記憶する。
【０１１４】
〈医療従事者に通報する処理〉
制御部１４０３は、通信部１４０２を制御して、支援者用装置１１２から第２の入力画面に入力された医療従事者への通報が必要であることを示す情報を受信する。そして、制御部１４０３は、通報が必要であることを示す情報を受信したことに応じて、通信部１４０２を制御して、医療従事者に対応する医療従事者用装置１１３に、メンバーの識別情報と、メンバーの識別情報に対応付けて記憶部１４０１に記憶された指標値と、を送信する。
【０１１５】
また、制御部１４０３は、通報が必要であることを示す情報を受信したことに応じて、メンバーの識別情報に対応付けて記憶部１４０１に記憶された他のメンバーの識別情報とサンクストークンの内容とを抽出する。そして、制御部１４０３は、通信部１４０２を制御して、医療従事者用装置１１３に、メンバーの識別情報と、メンバーの識別情報に対応付けて記憶部１４０１に記憶された他のメンバーの識別情報とサンクストークンの内容とを送信する。
【０１１６】
制御部１４０３は、例えば、医療従事者用装置１１３から医療従事者の認証情報を受信したことに応じて、受信した認証情報に基づいて医療従事者の認証を行う。次に、制御部１４０３は、医療従事者の認証に成功したことに応じて、医療従事者用装置１１３に、メンバーの識別情報と、メンバーの識別情報に対応付けて記憶部１４０１に記憶された指標値と、を送信する。また、制御部１４０３は、医療従事者用装置１１３に、メンバーの識別情報と、メンバーの識別情報に対応付けて記憶部１４０１に記憶された指標値と他のメンバーの識別情報とサンクストークンの内容とを送信する。
【０１１７】
制御部１４０３は、具体的には、通信部１４０２を制御して、医療従事者のログオン画面の画面情報を医療従事者用装置１１３に送信する。次に、制御部１４０３は、通信部１４０２を制御して、医療従事者用装置１１３から、ログオン画面に入力された医療従事者ＩＤとパスワードとを受信する。次に、制御部１４０３は、受信した医療従事者ＩＤとパスワードとを対応付けたレコードが医療従事者ログオンテーブル１３００に記憶されているか否かを判定する。
【０１１８】
ここで、制御部１４０３は、医療従事者ログオンテーブル１３００に記憶されている場合に、医療従事者の認証に成功したと判定する。そして、制御部１４０３は、通信部１４０２を制御して、メンバーの識別情報と、メンバーの識別情報に対応付けてニコニコマークテーブル５００に記憶された指標値と、を医療従事者用装置１１３に送信する。また、制御部１４０３は、通信部１４０２を制御して、メンバーの識別情報と、メンバーの識別情報に対応付けてつぶやきテーブル６００に記憶されたコメントの内容、および応答コメントの内容と、を医療従事者用装置１１３に送信する。また、制御部１４０３は、メンバーの識別情報と、メンバーの識別情報に対応付けてサンクストークンテーブル７００に記憶されたサンクストークンの内容と、を医療従事者用装置１１３に送信する。
【０１１９】
これにより、制御部１４０３は、支援者用装置１１２から医療従事者への通報が必要なメンバーのメンバーＩＤを受信することができ、医療従事者用装置１１３にメンバーＩＤを送信して医療従事者にメンバーＩＤが示すメンバーの対策をさせることができる。また、制御部１４０３は、医療従事者用装置１１３にメンバーＩＤに対応付けて記憶部１４０１に記憶された情報を送信して、医療従事者にメンバーＩＤが示すメンバーの詳細な対策をさせることができる。
【０１２０】
また、制御部１４０３は、さらに、医療従事者への通報が必要であると判断したメンバーに対する、支援者の所見を受信してもよい。そして、制御部１４０３は、医療従事者用装置１１３に、メンバーの識別情報に対応付けて記憶部１４０１に記憶された所見の内容、およびグループの識別情報に対応付けて記憶部１４０１に記憶された所見の数を送信する。これにより、制御部１４０３は、医療従事者装置１１３に所見の内容および所見の数を送信して、医療従事者がメンバーの精神状態を把握したり、グループがメンバーに精神疾患を発生させやすい環境になっているか否かを判断したりすることを支援することができる。制御部１４０３は、例えば、図３に示した記憶装置３０２に記憶されたプログラムをプロセッサ３０１に実行させることにより、その機能を実現する。
【０１２１】
（精神疾患予防支援）
次に、図１５〜図２６を用いて、精神疾患予防支援システム１００の精神疾患予防支援の一例について説明する。
【０１２２】
〈メンバーの登録〉
まず、図１５を用いて、プロジェクトのグループに属するメンバーの登録の一例について説明する。
【０１２３】
図１５は、メンバーの登録の一例を示す説明図である。図１５の例では、制御装置１１０は、出力装置３０４を用いて、登録画面１５００を表示する。登録画面１５００は、プロジェクトの名称を入力する入力欄１５０１を有する。
【０１２４】
また、登録画面１５００は、プロジェクトを管理するプロジェクト管理者の氏名を入力する入力欄１５０２と、プロジェクトを管理するプロジェクト管理者のメールアドレスを入力する入力欄１５０３と、を有する。また、登録画面１５００は、プロジェクト管理者の氏名を入力する入力欄１５０２と、プロジェクト管理者のメールアドレスを入力する入力欄１５０３と、の入力内容を確定する確定ボタン１５０４を有する。
【０１２５】
また、登録画面１５００は、プロジェクトのグループに属するメンバーを支援する支援者の氏名を入力する入力欄１５０５と、プロジェクトのグループに属するメンバーを支援する支援者のメールアドレスを入力する入力欄１５０６と、を有する。また、登録画面１５００は、支援者の氏名を入力する入力欄１５０５と、支援者のメールアドレスを入力する入力欄１５０６と、の入力内容を確定する確定ボタン１５０７を有する。
【０１２６】
また、登録画面１５００は、プロジェクトのグループに属するメンバーの氏名を入力する入力欄１５０８と、プロジェクトのグループに属するメンバーのメールアドレスを入力する入力欄１５０９と、を有する。また、登録画面１５００は、メンバーの氏名を入力する入力欄１５０８と、メンバーのメールアドレスを入力する入力欄１５０９と、の入力内容を確定する確定ボタン１５１０を有する。
【０１２７】
また、登録画面１５００は、確定した入力内容を表示する表示欄１５１１と、確定した入力内容を記憶装置に登録する登録終了ボタン１５１２と、を有する。
【０１２８】
制御装置１１０は、例えば、入力装置３０３を用いて、入力欄１５０１にプロジェクトの名称「Ｐｊ１」を入力する。
【０１２９】
また、制御装置１１０の利用者は、例えば、入力装置３０３を用いて、入力欄１５０２にプロジェクト管理者の氏名「鈴木達夫」を入力するとともに、入力欄１５０３にプロジェクト管理者のメールアドレス「ｓｕｚｕｋｉ＠ｍａｉｌ．ｊｐ」を入力して、確定ボタン１５０４を押下する。制御装置１１０は、確定ボタン１５０４が押下されたことを検出すると、表示欄１５１１に、入力欄１５０２の入力内容と、入力欄１５０３の入力内容と、を表示する。
【０１３０】
また、制御装置１１０の利用者は、例えば、入力装置３０３を用いて、入力欄１５０５に支援者の氏名「吉田直哉」を入力するとともに、入力欄１５０６に支援者のメールアドレス「ｙｏｓｈｉｄａ＠ｍａｉｌ．ｊｐ」を入力して、確定ボタン１５０７を押下する。制御装置１１０は、確定ボタン１５０７が押下されたことを検出すると、表示欄１５１１に、入力欄１５０５の入力内容と、入力欄１５０６の入力内容と、を表示する。
【０１３１】
また、制御装置１１０の利用者は、例えば、入力装置３０３を用いて、入力欄１５０８にメンバーの氏名「山田太郎」を入力するとともに、入力欄１５０９にメンバーのメールアドレス「ｙａｍａｄａ＠ｍａｉｌ．ｊｐ」を入力して、確定ボタン１５１０を押下する。制御装置１１０は、確定ボタン１５１０が押下されたことを検出すると、表示欄１５１１に、入力欄１５０８の入力内容と、入力欄１５０９の入力内容と、を表示する。
【０１３２】
そして、制御装置１１０の利用者は、例えば、登録終了ボタン１５１２を押下する。制御装置１１０は、例えば、登録終了ボタン１５１２が押下されたことを検出すると、プロジェクトの名称「Ｐｊ１」に対応するプロジェクトＩＤ「Ｐｊ１」を自動で生成する。
【０１３３】
また、制御装置１１０は、例えば、メンバーの氏名「山田太郎」に対応する、メンバーＩＤ「ＰｊＭ００１」と、パスワード「ＹｍｄＴｒ」とを自動で生成する。また、制御装置１１０は、例えば、プロジェクト管理者の氏名「鈴木達夫」に対応する、プロジェクト管理者ＩＤ「ＰｊＬ００１」と、パスワード「ＳｚｋＴｔ」とを自動で生成する。また、制御装置１１０は、例えば、支援者の氏名「吉田直哉」に対応する、支援者ＩＤ「ＰｊＳ００１」と、パスワード「ＹｓｄＮｙ」とを自動で生成する。
【０１３４】
次に、制御装置１１０は、生成したメンバーＩＤ「ＰｊＭ００１」と、パスワード「ＹｍｄＴｒ」とを対応付けたレコードをログオンテーブル４００に追加して、ログオンテーブル４００を更新する。また、制御装置１１０は、生成したプロジェクトＩＤ「Ｐｊ１」と、メンバーＩＤ「ＰｊＭ００１」とを対応付けたレコードをメンバーリストテーブル８００に追加して、メンバーリストテーブル８００を更新する。
【０１３５】
また、制御装置１１０は、生成したプロジェクト管理者ＩＤ「ＰｊＬ００１」と、パスワード「ＳｚｋＴｔ」とを対応付けたレコードをプロジェクト管理者ログオンテーブル９００に追加して、プロジェクト管理者ログオンテーブル９００を更新する。また、制御装置１１０は、生成した支援者ＩＤ「ＰｊＳ００１」と、パスワード「ＹｓｄＮｙ」とを対応付けたレコードを支援者ログオンテーブル１１００に追加して、支援者ログオンテーブル１１００を更新する。また、制御装置１１０は、生成したプロジェクトＩＤ「Ｐｊ１」と、プロジェクト管理者ＩＤ「ＰｊＬ００１」と、支援者ＩＤ「ＰｊＳ００１」とを対応付けたレコードをプロジェクト管理者リストテーブル１０００に追加して、プロジェクト管理者リストテーブル１０００を更新する。
【０１３６】
そして、制御装置１１０は、メンバーＩＤ「ＰｊＭ００１」と、パスワード「ＹｍｄＴｒ」と、メンバーのログオン画面のアドレスとを、メンバーのメールアドレス「ｙａｍａｄａ＠ｍａｉｌ．ｊｐ」に送信する。また、制御装置１１０は、プロジェクト管理者ＩＤ「ＰｊＬ００１」と、パスワード「ＳｚｋＴｔ」と、プロジェクト管理者のログオン画面のアドレスとを、プロジェクト管理者のメールアドレス「ｓｕｚｕｋｉ＠ｍａｉｌ．ｊｐ」に送信する。また、制御装置１１０は、支援者ＩＤ「ＰｊＳ００１」と、パスワード「ＹｓｄＮｙ」と、支援者のログオン画面のアドレスとを、支援者のメールアドレス「ｙｏｓｈｉｄａ＠ｍａｉｌ．ｊｐ」に送信する。
【０１３７】
〈メンバーのログオン〉
次に、図１６を用いて、プロジェクトのグループに属するメンバーのログオンの一例について説明する。
【０１３８】
図１６は、メンバーのログオンの一例を示す説明図である。図１６の例では、制御装置１１０は、メンバーが使用するメンバー用装置１１１がメンバーのログオン画面１６００のアドレスにアクセスしたことに応じて、メンバー用装置１１１にメンバーのログオン画面１６００の画面情報を送信する。
【０１３９】
メンバー用装置１１１は、出力装置３０４を用いて、メンバーのログオン画面１６００を表示する。メンバーのログオン画面１６００は、メンバーＩＤを入力する入力欄１６０１と、メンバーの認証のためのパスワードを入力する入力欄１６０２と、メンバーの認証を行うログオンボタン１６０３と、機器ＩＤを登録するか否かを選択する選択欄１６０４とを有する。
【０１４０】
メンバー用装置１１１を使用するメンバーは、入力装置３０３を用いて、入力欄１６０１にメンバーＩＤ「ＰｊＭ００１」を入力し、入力欄１６０２にパスワード「ＹｍｄＴｒ」を入力し、選択欄１６０４によって機器ＩＤを登録することを選択する。次に、メンバー用装置１１１を使用するメンバーは、入力装置３０３を用いて、ログオンボタン１６０３を押下する。メンバー用装置１１１は、ログオンボタン１６０３が押下されたことを検出すると、メンバーＩＤ「ＰｊＭ００１」とパスワード「ＹｍｄＴｒ」と、選択結果とを、制御装置１１０に送信する。
【０１４１】
制御装置１１０は、メンバーＩＤ「ＰｊＭ００１」とパスワード「ＹｍｄＴｒ」とを受信すると、メンバーＩＤ「ＰｊＭ００１」とパスワード「ＹｍｄＴｒ」とを対応付けたレコードがログオンテーブル４００に記憶されているか否かを判定する。
【０１４２】
制御装置１１０は、ログオンテーブル４００に記憶されていると判定した場合、ログオンに成功したと判定して、メンバー用装置１１１に、メンバーが操作する初期画面の画面情報を送信する。
【０１４３】
また、制御装置１１０は、機器ＩＤを登録することが選択されているため、メンバー用装置１１１の機器ＩＤを、ログオンテーブル４００に記憶されたメンバーＩＤ「ＰｊＭ００１」とパスワード「ＹｍｄＴｒ」とを対応付けたレコードの機器ＩＤ項目に設定する。
【０１４４】
制御装置１１０は、次回以降のログオンでは、メンバー用装置１１１がメンバーのログオン画面１６００のアドレスにアクセスしたことに応じて、メンバー用装置１１１の機器ＩＤが設定されたレコードがログオンテーブル４００に記憶されているか否かを判定する。そして、制御装置１１０は、ログオンテーブル４００に記憶されていると判定した場合、ログオンに成功したと判定して、メンバー用装置１１１に、メンバーが操作する初期画面の画面情報を送信する。これにより、メンバー用装置１１１を使用するメンバーは、次回以降のログオンにおいて、メンバーＩＤとパスワードとを入力せずに、ログオンすることができる。
【０１４５】
一方で、制御装置１１０は、ログオンテーブル４００に記憶されていないと判定した場合、ログオンに失敗したとして、ログオンに失敗したことを示す情報をメンバー用装置１１１に送信する。これにより、精神疾患予防支援システム１００は、メンバー以外の者が、メンバー用装置１１１を使用して、メンバーの指標値を入力したり、メンバーのコメント、およびサンクストークンの内容を閲覧したりすることを防止することができる。
【０１４６】
このように、メンバーは、例えば、勤務日ごとにログオンを行い、ログオン画面１６００を操作し、後述する初期画面１７００などを操作して精神状態を表す指標値を入力したり、サンクストークンを送信したりする。
【０１４７】
〈メンバーの操作〉
次に、図１７を用いて、プロジェクトのグループに属するメンバーの操作の一例について説明する。
【０１４８】
図１７は、メンバーの操作の一例を示す説明図である。図１７の例では、メンバー用装置１１１は、初期画面１７００の画面情報を受信したことに応じて、出力装置３０４を用いて、初期画面１７００を表示する。
【０１４９】
初期画面１７００は、メンバーの精神状態を表す指標値とコメントとを入力するショート日記画面の画面情報を制御装置１１０から取得するためのショート日記ボタン１７０１を有する。また、初期画面１７００は、サンクストークンを入力するサンクストークン送信画面の画面情報を制御装置１１０から取得するためのサンクストークン送信ボタン１７０２を有する。
【０１５０】
また、初期画面１７００は、他のメンバーからのサンクストークンを閲覧するサンクストークン受信画面の画面情報を制御装置１１０から取得するためのサンクストークン受信ボタン１７０３を有する。また、初期画面１７００は、支援者からの一言アドバイスを閲覧する一言アドバイス画面の画面情報を制御装置１１０から取得するための一言アドバイスボタン１７０４を有する。
【０１５１】
〈メンバーの指標値とコメントとの入力〉
次に、図１８を用いて、図１７においてショート日記ボタン１７０１が押下された場合の、プロジェクトのグループに属するメンバーの指標値とコメントとの入力の一例について説明する。
【０１５２】
図１８は、メンバーの指標値とコメントとの入力の一例を示す説明図である。図１８の例では、メンバー用装置１１１が、ショート日記ボタン１７０１が押下されたことを検出して、ショート日記画面１８００の画面情報の送信要求を制御装置１１０に送信する。
【０１５３】
この場合は、制御装置１１０は、ショート日記画面１８００の画面情報の送信要求を受信すると、メンバーの指標値とコメントとを入力するショート日記画面１８００の画面情報をメンバー用装置１１１に送信する。
【０１５４】
そして、メンバー用装置１１１は、ショート日記画面１８００の画面情報を制御装置１１０から受信したことに応じて、出力装置３０４を用いて、ショート日記画面１８００を表示する。
【０１５５】
ショート日記画面１８００は、日付を入力する入力欄１８０１と、天気を入力する入力欄１８０２とを有する。また、ショート日記画面１８００は、メンバーの精神状態を表す指標値を入力する入力欄１８０３を有する。また、ショート日記画面１８００は、出勤時間と退勤時間と勤務時間と遅刻の有無と身体状況とを入力する入力欄１８０４を有する。
【０１５６】
また、ショート日記画面１８００は、メンバーの状況についてのアンケートの回答欄１８０５を有する。また、ショート日記画面１８００は、メンバーのコメントを入力する入力欄１８０６を有する。また、ショート日記画面１８００は、入力内容を制御装置１１０に送信する更新ボタン１８０７を有する。
【０１５７】
メンバー用装置１１１を使用するメンバーは、入力装置３０３を用いて、入力欄１８０１に日付「２０１３／８／２２」を入力し、入力欄１８０２に天気を入力する。メンバー用装置１１１は、メンバー用装置１１１が有する時計が示す日付、またはネットワークから取得した日付を入力欄１８０１に自動で入力しておいてもよい。また、天気の入力は、引きこもりなどの天気に疎くなりがちなメンバーへの対策として入力させ、あえて天気を意識させるために設けている。これにより、メンバーが外気や日光に当たることを期待しており、うつ病予防の一つとして重要だと指摘されている、一日３０分以上、外気や日光に当たることにつなげる事を考慮している。
【０１５８】
また、メンバー用装置１１１を使用するメンバーは、入力装置３０３を用いて、入力欄１８０３にメンバーの精神状態を表す指標値を入力する。メンバー用装置１１１を使用するメンバーは、例えば、入力装置３０３を用いて、複数のニコニコマークのうちでメンバーの精神状態に近いものを選択することによって、ニコニコマークに対応する精神状態を表す指標値を入力する。
【０１５９】
また、メンバー用装置１１１を使用するメンバーは、入力装置３０３を用いて、入力欄１８０４に出勤時間と退勤時間と勤務時間と遅刻の有無と身体状況とを入力する。また、メンバー用装置１１１を使用するメンバーは、入力装置３０３を用いて、回答欄１８０５にアンケートの回答を入力する。
【０１６０】
また、メンバー用装置１１１を使用するメンバーは、入力欄１８０６にメンバーのコメントを入力する。そして、メンバー用装置１１１を使用するメンバーは、更新ボタン１８０７を押下する。ここで、メンバー用装置１１１を使用するメンバーは、いずれかの入力欄１８０１〜１８０７に入力していなくてもよい。メンバー用装置１１１は、更新ボタン１８０７が押下されたことを検出すると、入力内容を制御装置１１０に送信する。
【０１６１】
制御装置１１０は、入力内容を受信すると、ニコニコマークテーブル５００と、つぶやきテーブル６００とを更新する。制御装置１１０は、例えば、指標値を含む入力内容を受信すると、メンバーの認証時に受信したメンバーＩＤと、入力内容に含まれる日付と、指標値とを対応付けたレコードをニコニコマークテーブル５００に追加して、ニコニコマークテーブル５００を更新する。
【０１６２】
制御装置１１０は、例えば、コメントを含む入力内容を受信すると、メンバーの認証時に受信したメンバーＩＤと、コメントであることを示すフラグと、入力内容に含まれる日時と、コメントとを対応付けたレコードをつぶやきテーブル６００に追加する。そして、制御装置１１０は、つぶやきテーブル６００を更新する。これにより、精神疾患予防支援システム１００は、メンバー用装置１１１から受信したメンバーの指標値、およびコメントを記憶しておくことができる。
【０１６３】
また、制御装置１１０は、例えば、バッチ処理により、午前０時になったときに、ニコニコマークテーブル５００に基づいて、メンバー用装置１１１から受信したメンバーの指標値に基づくグループの統計情報を算出しておいてもよい。
【０１６４】
〈メンバーのサンクストークンの送信〉
次に、図１９を用いて、図１７においてサンクストークン送信ボタン１７０２が押下された場合の、プロジェクトのグループに属するメンバーのサンクストークンの送信の一例について説明する。
【０１６５】
図１９は、メンバーのサンクストークンの送信の一例を示す説明図である。図１９の例では、メンバー用装置１１１が、サンクストークン送信ボタン１７０２が押下されたことを検出して、サンクストークン送信画面１９００の画面情報の送信要求を制御装置１１０に送信する。
【０１６６】
この場合、制御装置１１０は、サンクストークン送信画面１９００の画面情報の送信要求を受信すると、サンクストークンを入力するサンクストークン送信画面１９００の画面情報をメンバー用装置１１１に送信する。
【０１６７】
そして、メンバー用装置１１１は、サンクストークン送信画面１９００の画面情報を制御装置１１０から受信したことに応じて、出力装置３０４を用いて、サンクストークン送信画面１９００を表示する。
【０１６８】
サンクストークン送信画面１９００は、サンクストークンの宛先を選択する選択欄１９０１と、サンクストークンの内容を入力する入力欄１９０２と、サンクストークンを送信する送信ボタン１９０３とを有する。
【０１６９】
メンバー用装置１１１を使用するメンバーは、例えば、選択欄１９０１からサンクストークンの宛先を選択して、入力欄１９０２にサンクストークンの内容を入力して、送信ボタン１９０３を押下する。メンバー用装置１１１は、送信ボタン１９０３が押下されたことを検出すると、サンクストークンの宛先と、サンクストークンの内容とを制御装置１１０に送信する。
【０１７０】
制御装置１１０は、サンクストークンの宛先と、サンクストークンの内容とを受信すると、メンバーの認証時に受信したメンバーＩＤと、宛先のメンバーのメンバーＩＤと、日時と、サンクストークンの内容とを対応付けたレコードを、サンクストークンテーブル７００に追加する。そして、制御装置１１０は、サンクストークンテーブル７００を更新する。
【０１７１】
これにより、精神疾患予防支援システム１００は、メンバーからグループに属する他のメンバーへのサンクストークンの内容を記憶しておき、他のメンバーがメンバー用装置１１１を用いてサンクストークンの内容を閲覧できるようにする。また、精神疾患予防支援システム１００は、メンバーからグループに属する他のメンバーへのサンクストークンの数を集計しておき、医療従事者に閲覧させることにより、医療従事者にグループ内のメンバーの間の交流の度合いを把握させることができる。
【０１７２】
また、制御装置１１０は、発信元のメンバーのメンバーＩＤと、宛先のメンバーのメンバーＩＤの組み合わせに対して、一日一個の送信制限を設定しており、この制限のフラグを午前０時にリセットする。これにより、短時間で多量にサンクストークンを出すことによる、統計的な価値の低下を防ぐ。また、制御装置１１０は、例えば、バッチ処理により、午前０時になったときに、サンクストークンテーブル７００に基づいて、メンバー用装置１１１から受信したサンクストークンに基づくグループの統計情報を算出しておいてもよい。
【０１７３】
〈メンバーのサンクストークンの閲覧〉
次に、図２０を用いて、図１７においてサンクストークン受信ボタン１７０３が押下された場合の、プロジェクトのグループに属するメンバーのサンクストークンの閲覧の一例について説明する。
【０１７４】
図２０は、メンバーのサンクストークンの閲覧の一例を示す説明図である。図２０の例では、メンバー用装置１１１が、サンクストークン受信ボタン１７０３が押下されたことを検出して、サンクストークン受信画面２０００の画面情報の送信要求を制御装置１１０に送信する。
【０１７５】
制御装置１１０は、サンクストークン受信画面２０００の画面情報の送信要求を受信すると、サンクストークンテーブル７００のうちで、メンバーの認証時に受信したメンバーＩＤが宛先メンバーＩＤ項目に設定されたレコードを特定する。次に、制御装置１１０は、特定したレコードのメンバーＩＤ項目のメンバーＩＤが示すメンバーと、日付項目の日付と、サンクストークン項目のサンクストークンの内容とを含む、サンクストークン受信画面２０００の画面情報をメンバー用装置１１１に送信する。
【０１７６】
メンバー用装置１１１は、サンクストークン受信画面２０００の画面情報を受信したことに応じて、出力装置３０４を用いて、サンクストークン受信画面２０００を表示する。
【０１７７】
サンクストークン受信画面２０００は、サンクストークンを送信したメンバーと日付とを示し、サンクストークンの内容を表示する表示ボタン２００１と、サンクストークンの内容を表示する表示領域２００２とを有する。
【０１７８】
メンバー用装置１１１を使用するメンバーは、例えば、表示ボタン２００１を押下する。メンバー用装置１１１は、表示ボタン２００１が押下されたことを検出すると、出力装置３０４を用いて、表示ボタン２００１に対応するサンクストークンの内容を、表示領域２００２に表示する。
【０１７９】
これにより、精神疾患予防支援システム１００は、メンバーに、メンバー用装置１１１によって、他のメンバーからのメッセージを閲覧させることができる。これにより、精神疾患予防支援システム１００は、メンバーの間の交流を可視化して、精神疾患の予知を支援することができる。
【０１８０】
〈メンバーの一言アドバイスの閲覧〉
次に、図２１を用いて、図１７において一言アドバイスボタン１７０４が押下された場合の、プロジェクトのグループに属するメンバーの一言アドバイスの閲覧の一例について説明する。
【０１８１】
図２１は、メンバーの一言アドバイスの閲覧の一例を示す説明図である。図２１の例では、メンバー用装置１１１が、一言アドバイスボタン１７０４が押下されたことを検出して、一言アドバイス画面２１００の画面情報の送信要求を制御装置１１０に送信する。
【０１８２】
制御装置１１０は、一言アドバイス画面２１００の画面情報の送信要求を受信すると、つぶやきテーブル６００のうちで、メンバーの認証時に受信したメンバーＩＤがメンバーＩＤ項目に設定され、フラグ項目に一言アドバイスであることを示すフラグが設定されたレコードを特定する。次に、制御装置１１０は、特定したレコードの日付項目の日付と、つぶやき項目の支援者の一言アドバイスの内容とを含む、一言アドバイス画面２１００の画面情報をメンバー用装置１１１に送信する。
【０１８３】
メンバー用装置１１１は、一言アドバイス画面２１００の画面情報を受信したことに応じて、出力装置３０４を用いて、一言アドバイス画面２１００を表示する。一言アドバイス画面２１００は、一言アドバイスが入力された日付を示し、一言アドバイスの内容を表示する表示ボタン２１０１と、一言アドバイスの表示領域２１０２とを有する。
【０１８４】
メンバー用装置１１１を使用するメンバーは、例えば、表示ボタン２１０１を押下する。メンバー用装置１１１は、表示ボタン２１０１が押下されたことを検出すると、出力装置３０４を用いて、表示ボタン２１０１に対応する一言アドバイスの内容を、表示領域２１０２に表示する。これにより、精神疾患予防支援システム１００は、メンバーに、メンバーが使用するメンバー用装置１１１によって、メンバーに対する支援者からの一言アドバイスを閲覧させることができる。このため、精神疾患予防支援システム１００は、メンバーに対して、一言アドバイスを閲覧させることにより、支援者との繋がりを認識させることができる。また、精神疾患予防支援システム１００は、メンバーと支援者との交流を活性化して、メンバー間では発言できないようなコメントを引き出しやすい環境を提供することができる。
【０１８５】
〈プロジェクト管理者のログオン〉
次に、図２２を用いて、プロジェクトのグループを管理するプロジェクト管理者のログオンの一例について説明する。
【０１８６】
図２２は、プロジェクト管理者のログオンの一例を示す説明図である。図２２の例では、制御装置１１０は、プロジェクト管理者が使用するプロジェクト管理者用装置１１４がプロジェクト管理者のログオン画面２２００のアドレスにアクセスしたことに応じて、プロジェクト管理者用装置１１４にプロジェクト管理者のログオン画面２２００の画面情報を送信する。
【０１８７】
プロジェクト管理者用装置１１４は、出力装置３０４を用いて、プロジェクト管理者のログオン画面２２００を表示する。プロジェクト管理者のログオン画面２２００は、プロジェクト管理者ＩＤを入力する入力欄２２０１と、プロジェクト管理者の認証のためのパスワードを入力する入力欄２２０２と、プロジェクト管理者の認証を行うログオンボタン２２０３とを有する。
【０１８８】
プロジェクト管理者用装置１１４を使用するプロジェクト管理者は、入力装置３０３を用いて、入力欄２２０１にプロジェクト管理者ＩＤ「ＰｊＬ００１」を入力し、入力欄２２０２にパスワード「ＳｚｋＴｔ」を入力し、ログオンボタン２２０３を押下する。プロジェクト管理者用装置１１４は、ログオンボタン２２０３が押下されたことを検出すると、プロジェクト管理者ＩＤ「ＰｊＬ００１」とパスワード「ＳｚｋＴｔ」とを、制御装置１１０に送信する。
【０１８９】
制御装置１１０は、プロジェクト管理者ＩＤ「ＰｊＬ００１」とパスワード「ＳｚｋＴｔ」とを受信すると、プロジェクト管理者ＩＤ「ＰｊＬ００１」とパスワード「ＳｚｋＴｔ」と対応付けたレコードがプロジェクト管理者ログオンテーブル９００に記憶されているか否かを判定する。
【０１９０】
制御装置１１０は、プロジェクト管理者ログオンテーブル９００に記憶されていると判定した場合、ログオンに成功したと判定して、集計テーブル１２００のうちでプロジェクトＩＤ項目にプロジェクトＩＤが設定されたレコードを特定する。そして、制御装置１１０は、プロジェクト管理者用装置１１４に、プロジェクト管理者が操作するグループ管理画面の画面情報を送信する。ここで、グループ管理画面は、特定したレコードの日付項目の日付と、ニコニコ平均値項目の平均値と、ニコニコ参加率項目の参加率と、サンクス入力数項目の入力数と、サンクス参加率項目の参加率とを含む。
【０１９１】
一方で、制御装置１１０は、プロジェクト管理者ログオンテーブル９００に記憶されていないと判定した場合、ログオンに失敗したとして、ログオンに失敗したことを示す情報をプロジェクト管理者用装置１１４に送信する。これにより、精神疾患予防支援システム１００は、プロジェクト管理者以外の者が、プロジェクト管理者用装置１１４を使用して、メンバーの指標値、およびサンクストークンに基づくグループの統計情報を閲覧することを防止することができる。
【０１９２】
〈プロジェクト管理者の操作〉
次に、図２３を用いて、プロジェクトのグループを管理するプロジェクト管理者の操作の一例について説明する。
【０１９３】
図２３は、プロジェクト管理者の操作の一例を示す説明図である。図２３の例では、プロジェクト管理者用装置１１４は、グループ管理画面２３００の画面情報を受信したことに応じて、出力装置３０４を用いて、グループ管理画面２３００を表示する。
【０１９４】
グループ管理画面２３００は、グループに属するメンバーの精神状態を表す指標値の平均値と、グループに属するメンバーのうちで精神状態を表す指標値を入力したメンバーの割合を表す参加率と、を有する。また、グループ管理画面２３００は、グループに属するメンバーのうちサンクストークンを入力したメンバーの数を表す入力数と、グループに属するメンバーのうちサンクストークンを入力したメンバーの割合を表す参加率とを有する。
【０１９５】
このように、精神疾患予防支援システム１００によれば、メンバーが入力した指標値の統計情報を算出し、グループに属し、グループを管理するプロジェクト管理者が使用するプロジェクト管理者用装置１１４に、算出した統計情報を送信することができる。また、精神疾患予防支援システム１００によれば、メンバーが入力した他のメンバーへのメッセージの統計情報を算出し、グループに属し、グループを管理するプロジェクト管理者が使用するプロジェクト管理者用装置１１４に、算出した統計情報を送信することができる。
【０１９６】
精神疾患予防支援システム１００によれば、メンバーが入力した指標値の統計情報を算出し、グループに属し、グループを管理するプロジェクト管理者が使用するプロジェクト管理者用装置１１４に、算出した統計情報を送信することができる。これにより、精神疾患予防支援システム１００によれば、プロジェクト管理者にグループの状態を把握させて、プロジェクト管理者にグループの状態改善を促すことができる。また、精神疾患予防支援システム１００によれば、グループに属するプロジェクト管理者には、メンバー個人の指標値そのものを閲覧させることなく、指標値に基づく統計情報にしてから閲覧させることができる。これにより、精神疾患予防支援システム１００は、メンバーが、グループに属する他のメンバーとの人間関係およびグループに属しグループを管理するプロジェクト管理者からの人事評価などを気にすることなく、指標値を入力することができる環境を提供することができる。
【０１９７】
〈支援者のログオン〉
次に、プロジェクトのグループに属するメンバーを支援する支援者のログオンの一例について説明する。
【０１９８】
制御装置１１０は、支援者が使用する支援者用装置１１２が支援者のログオン画面のアドレスにアクセスしたことに応じて、支援者用装置１１２に支援者のログオン画面の画面情報を送信する。
【０１９９】
支援者用装置１１２は、出力装置３０４を用いて、支援者のログオン画面を表示する。支援者のログオン画面は、プロジェクト管理者のログオン画面２２００と同様の画面であるため、図示を省略する。支援者のログオン画面は、例えば、プロジェクト管理者ＩＤを入力する入力欄２２０１の代わりの支援者ＩＤを入力する入力欄と、プロジェクト管理者の認証のためのパスワードを入力する入力欄２２０２の代わりの支援者の認証のためのパスワードを入力する入力欄とを有する。また、支援者のログオン画面は、支援者の認証を行うログオンボタンを有する。
【０２００】
支援者用装置１１２を使用する支援者は、入力装置３０３を用いて、支援者ＩＤを入力する入力欄に支援者ＩＤ「ＰｊＳ００１」を入力し、支援者の認証のためのパスワードを入力する入力欄にパスワード「ＹｓｄＮｙ」を入力し、ログオンボタンを押下する。支援者用装置１１２は、ログオンボタンが押下されたことを検出すると、支援者ＩＤ「ＰｊＳ００１」とパスワード「ＹｓｄＮｙ」とを、制御装置１１０に送信する。
【０２０１】
制御装置１１０は、支援者ＩＤ「ＰｊＳ００１」とパスワード「ＹｓｄＮｙ」とを受信すると、支援者ＩＤ「ＰｊＳ００１」とパスワード「ＹｓｄＮｙ」とを対応付けたレコードが支援者ログオンテーブル１１００に記憶されているか否かを判定する。
【０２０２】
制御装置１１０は、支援者ログオンテーブル１１００に記憶されていると判定した場合、ログオンに成功したと判定して、プロジェクト管理者リストテーブル１０００のうちで、受信した支援者ＩＤが支援者ＩＤ項目に設定されたレコードを特定する。次に、制御装置１１０は、特定したレコードのプロジェクトＩＤ項目のプロジェクトＩＤを抽出する。
【０２０３】
そして、制御装置１１０は、メンバーリストテーブル８００のうちで、抽出したプロジェクトＩＤがプロジェクトＩＤ項目に設定されたレコードを特定する。次に、制御装置１１０は、特定したレコードのメンバーＩＤ項目のメンバーＩＤを含む、支援者が操作するメンバー選択画面の画面情報を作成して、支援者用装置１１２に送信する。メンバー選択画面は、メンバーＩＤの代わりに、メンバーＩＤが示すメンバーの氏名を含んでもよい。
【０２０４】
一方で、制御装置１１０は、支援者ログオンテーブル１１００に記憶されていないと判定した場合、ログオンに失敗したとして、ログオンに失敗したことを示す情報を支援者用装置１１２に送信する。これにより、精神疾患予防支援システム１００は、支援者以外の者が、支援者用装置１１２を使用して、メンバーのコメントなどを閲覧したりすることを防止することができる。
【０２０５】
ここでは、制御装置１１０が、プロジェクト管理者リストテーブル１０００のうちで、受信した支援者ＩＤが支援者ＩＤ項目に設定されたレコードが一つである場合について説明した。換言すれば、支援者が一つのプロジェクトに属するメンバーを支援する者である場合について説明したが、これに限らない。例えば、支援者が複数のプロジェクトの各々のプロジェクトに属するメンバーを支援する者であってもよい。
【０２０６】
この場合、制御装置１１０は、プロジェクト管理者リストテーブル１０００のうちで、受信した支援者ＩＤが支援者ＩＤ項目に設定された複数のレコードを特定する。次に、特定した各々のレコードのプロジェクトＩＤ項目のプロジェクトＩＤを抽出して、いずれかのプロジェクトＩＤを選択するプロジェクト選択画面の画面情報を作成して、支援者用装置１１２に送信する。そして、制御装置１１０は、支援者用装置１１２によって選択されたプロジェクトＩＤを受け付け、メンバーリストテーブル８００のうちで、受け付けたプロジェクトＩＤがプロジェクトＩＤ項目に設定されたレコードを特定する。次に、制御装置１１０は、特定したレコードのメンバーＩＤ項目のメンバーＩＤを含む、支援者が操作するメンバー選択画面の画面情報を作成して、送信する。
【０２０７】
〈支援者の操作〉
次に、図２４を用いて、プロジェクトのグループに属するメンバーを支援する支援者の操作の一例について説明する。
【０２０８】
図２４は、支援者の操作の一例を示す説明図である。図２４の例では、支援者用装置１１２は、メンバー選択画面２４００の画面情報を受信したことに応じて、出力装置３０４を用いて、メンバー選択画面２４００を表示する。
【０２０９】
メンバー選択画面２４００は、グループに属するメンバーのメンバーＩＤを選択する選択欄２４０１を有する。メンバー選択画面２４００は、メンバーＩＤを選択する選択欄２４０１の代わりに、メンバーＩＤが示すメンバーの氏名を選択する選択欄を含んでもよい。また、メンバー選択画面は、メンバーＩＤに対応付けて、メンバーＩＤが示すメンバーがコメントを最後に入力した日付やメンバーＩＤが示すメンバーに対して一言アドバイスを最後に入力した日付を有していてもよい。
【０２１０】
支援者用装置１１２を使用する支援者は、入力装置３０３を用いて、選択欄２４０１のメンバーＩＤ「ＰｊＭ００１」を選択する。支援者用装置１１２は、メンバーＩＤが選択されたことを検出すると、メンバーＩＤ「ＰｊＭ００１」を、制御装置１１０に送信する。
【０２１１】
制御装置１１０は、メンバーＩＤ「ＰｊＭ００１」を受信すると、つぶやきテーブル６００のうちで、受信したメンバーＩＤ「ＰｊＳ００１」がメンバーＩＤ項目に設定されたレコードを特定する。次に、制御装置１１０は、特定したレコードの日付項目の日付と、つぶやき項目のコメントの内容、または一言アドバイスの内容との組み合わせを抽出する。そして、制御装置１１０は、抽出した組み合わせを含む、一言アドバイス入力画面の画面情報を作成して、支援者用装置１１２に送信する。
【０２１２】
なお、上述したように、支援者が複数のプロジェクトの各々のプロジェクトに属するメンバーを支援する者であってもよい。この場合、支援者用装置１１２は、メンバー選択画面２４００を表示する前に、プロジェクト選択画面の画面情報を受信し、プロジェクト選択画面を表示してプロジェクト選択画面において選択されたプロジェクトＩＤを制御装置１１０に送信することになる。そして、支援者用装置１１２は、送信したプロジェクトＩＤに対応するメンバー選択画面２４００の画面情報を受信し、メンバー選択画面２４００を表示する。
【０２１３】
〈支援者の一言アドバイスの入力〉
次に、図２５を用いて、プロジェクトのグループに属するメンバーを支援する支援者の一言アドバイスの入力の一例について説明する。
【０２１４】
図２５は、支援者の一言アドバイスの入力の一例を示す説明図である。図２５の例では、支援者用装置１１２は、一言アドバイス入力画面２５００の画面情報を受信したことに応じて、出力装置３０４を用いて、一言アドバイス入力画面を表示する。
【０２１５】
一言アドバイス入力画面２５００は、過去のコメントの内容、および一言アドバイスの内容を表示する表示欄２５０１と、一言アドバイスを入力する入力欄２５０２と、一言アドバイスを送信する送信ボタン２５０３とを有する。また、一言アドバイス入力画面２５００は、制御装置１１０に医療従事者への通報が必要であることを示す情報を送信する通報ボタン２５０４を有する。
【０２１６】
支援者用装置１１２を使用する支援者は、入力装置３０３を用いて、表示欄２５０１を参照して、入力欄２５０２に一言アドバイスを入力して、送信ボタン２５０３を押下する。支援者用装置１１２は、送信ボタン２５０３が押下されたことを検出すると、メンバーＩＤ「ＰｊＭ００１」と、入力欄２５０２に入力された一言アドバイスの内容とを対応付けて、制御装置１１０に送信する。
【０２１７】
制御装置１１０は、メンバーＩＤ「ＰｊＭ００１」と一言アドバイスの内容とを受信すると、メンバーＩＤ「ＰｊＭ００１」と日付と一言アドバイスの内容とを対応付けたレコードを、つぶやきテーブル６００に追加する。これにより、精神疾患予防支援システム１００は、一言アドバイスのやり取りによりメンバーと支援者との交流を活性化して、精神疾患の予兆を発見する機会を増やし、精神疾患の予防を支援することができる。また、精神疾患予防支援システム１００によれば、メンバーと支援者との交流を活性化して、支援者に閲覧されるメンバーのコメントを入力しやすい環境を提供することができる。
【０２１８】
また、支援者用装置１１２を使用する支援者は、表示欄２５０１に表示された、過去のコメントの内容、および一言アドバイスの内容を参照して、メンバーＩＤ「ＰｊＭ００１」が示すメンバーに精神疾患の予兆があるか否かを判断する。そして、支援者用装置１１２を使用する支援者は、精神疾患の予兆があると判断したことに応じて、入力装置３０３を用いて、通報ボタン２５０４を押下する。支援者用装置１１２は、通報ボタン２５０４が押下されたことを検出すると、メンバーＩＤ「ＰｊＭ００１」と、医療従事者への通報が必要であることを示す情報と、を対応付けて、制御装置１１０に送信する。
【０２１９】
制御装置１１０は、メンバーＩＤ「ＰｊＭ００１」と、医療従事者への通報が必要であることを示す情報を受信すると、メンバーＩＤ「ＰｊＭ００１」に対応付けてニコニコマークテーブル５００に記憶された指標値を抽出する。また、制御装置１１０は、メンバーＩＤ「ＰｊＭ００１」に対応付けてつぶやきテーブル６００に記憶された過去のコメントの内容、および一言アドバイスの内容を抽出する。また、制御装置１１０は、メンバーＩＤ「ＰｊＭ００１」に対応付けてサンクストークンテーブル７００に記憶されたサンクストークンの内容を抽出する。
【０２２０】
そして、制御装置１１０は、医療従事者用装置１１３に、メンバーＩＤ「ＰｊＭ００１」と、抽出した指標値と、抽出した過去のコメントの内容、および一言アドバイスの内容と、抽出したサンクストークンの内容とを送信する。また、制御装置１１０は、医療従事者用装置１１３に、指標値から算出したグループの統計情報、およびサンクストークンから算出したグループの統計情報を送信してもよい。
【０２２１】
なお、制御装置１１０は、医療従事者への通報が必要であることを示す情報を受信した時点で、医療従事者用装置１１３に、各種情報を送信してもよい。また、制御装置１１０は、医療従事者への通報が必要であることを示す情報を受信した後、医療従事者用装置１１３から医療従事者がログオンした時点で、各種情報を送信してもよい。
【０２２２】
また、一言アドバイス入力画面２５００は、さらに、医療従事者への通報が必要であると判断されたメンバーに対する、支援者の所見を入力する入力欄を有してもよい。
【０２２３】
支援者用装置１１２を使用する支援者は、入力装置３０３を用いて、メンバーＩＤ「ＰｊＭ００１」が示すメンバーに精神疾患の予兆があると判断した場合に、支援者の所見を入力する入力欄に所見を入力する。そして、支援者用装置１１２を使用する支援者は、精神疾患の予兆があると判断したことに応じて、通報ボタン２５０４を押下する。支援者用装置１１２は、通報ボタン２５０４が押下されたことを検出すると、メンバーＩＤ「ＰｊＭ００１」と、医療従事者への通報が必要であることを示す情報と、入力されたメンバーに対する支援者の所見と、を対応付けて、制御装置１１０に送信する。
【０２２４】
制御装置１１０は、メンバーＩＤ「ＰｊＭ００１」と、医療従事者への通報が必要であることを示す情報と、メンバーに対する支援者の所見とを受信すると、メンバーＩＤ「ＰｊＭ００１」に対応付けて、メンバーに対する支援者の所見を記憶する。また、制御装置１１０は、プロジェクトのグループの識別情報に対応する集計テーブル１２００のレコードに含まれる所見数項目と所見受信日付項目とを更新する。
【０２２５】
次に、制御装置１１０は、メンバーＩＤ「ＰｊＭ００１」に対応付けて、ニコニコマークテーブル５００に記憶された指標値を抽出する。また、制御装置１１０は、メンバーＩＤ「ＰｊＭ００１」に対応付けてつぶやきテーブル６００に記憶された過去のコメントの内容、および一言アドバイスの内容を抽出する。また、制御装置１１０は、メンバーＩＤ「ＰｊＭ００１」に対応付けてサンクストークンテーブル７００に記憶されたサンクストークンの内容を抽出する。
【０２２６】
そして、制御装置１１０は、医療従事者用装置１１３に、メンバーＩＤ「ＰｊＭ００１」と、抽出した指標値と、抽出した過去のコメントの内容、および一言アドバイスの内容と、抽出したサンクストークンの内容と、所見数と、所見を受信した日付とを送信する。また、制御装置１１０は、医療従事者用装置１１３に、指標値から算出したグループの統計情報、およびサンクストークンから算出したグループの統計情報を送信してもよい。
【０２２７】
これにより、精神疾患予防支援システム１００は、グループに属するメンバーが入力したコメントを、グループに属さない支援者に送信することにより、メンバーの精神疾患の予兆を発見する機会を支援者にまで広げることができる。また、精神疾患予防支援システム１００は、医療従事者が複数のグループの各々のグループに属するすべてのメンバーの精神状態を監視しなくてもよい環境を提供することができる。これにより、医療従事者の負担を低減することができ、医療従事者は、精神疾患の可能性があるメンバーに集中して精神疾患の対策をすることができる。
【０２２８】
また、精神疾患予防支援システム１００は、指標値の統計情報、およびサンクストークンの統計情報を医療従事者に提供して、医療従事者にグループの状態、およびメンバーの間の交流の度合いを把握させることができる。また、精神疾患予防支援システム１００は、指標値、コメントの内容、一言アドバイスの内容、およびサンクストークンの内容を医療従事者に提供して、医療従事者にグループの状態、およびメンバーの間の交流の度合いを把握させることができる。これにより、精神疾患予防支援システム１００は、医療従事者が精神疾患の対策をすることを支援することができる。
【０２２９】
このように、精神疾患予防支援システム１００は、メンバーが主観に基づいて入力した指標値やコメントを、支援者や医療従事者に閲覧させることができ、メンバーの精神状態を把握しやすくする環境を提供することができる。また、精神疾患予防支援システム１００は、医療従事者に、各々のテーブルの記憶内容と、実際に精神疾患にかかったメンバーと、を参照させることにより、精神疾患にかかる場合の各々のテーブルの内容の規則性を発見しやすくする環境を提供することができる。
【０２３０】
〈医療従事者のログオン〉
次に、医療従事者のログオンの一例について説明する。
【０２３１】
制御装置１１０は、医療従事者が使用する医療従事者用装置１１３が医療従事者のログオン画面のアドレスにアクセスしたことに応じて、医療従事者用装置１１３に医療従事者のログオン画面の画面情報を送信する。
【０２３２】
医療従事者用装置１１３は、出力装置３０４を用いて、医療従事者のログオン画面を表示する。医療従事者のログオン画面は、プロジェクト管理者のログオン画面２２００と同様の画面であるため、図示を省略する。医療従事者のログオン画面は、例えば、プロジェクト管理者ＩＤを入力する入力欄２２０１の代わりの医療従事者ＩＤを入力する入力欄と、医療従事者の認証のためのパスワードを入力する入力欄２２０２の代わりの医療従事者の認証のためのパスワードを入力する入力欄とを有する。また、医療従事者のログオン画面は、医療従事者の認証を行うログオンボタンとを有する。
【０２３３】
医療従事者用装置１１３を使用する医療従事者は、入力装置３０３を用いて、医療従事者ＩＤを入力する入力欄に医療従事者ＩＤ「ＰｊＤ００１」を入力し、医療従事者の認証のためのパスワードを入力する入力欄にパスワード「ＭｄＡｋｎｒ」を入力し、ログオンボタンを押下する。医療従事者用装置１１３は、ログオンボタンが押下されたことを検出すると、医療従事者ＩＤ「ＰｊＤ００１」とパスワード「ＭｄＡｋｎｒ」とを、制御装置１１０に送信する。
【０２３４】
制御装置１１０は、医療従事者ＩＤ「ＰｊＤ００１」とパスワード「ＭｄＡｋｎｒ」とを受信すると、医療従事者ＩＤ「ＰｊＤ００１」とパスワード「ＭｄＡｋｎｒ」と対応付けたレコードが医療従事者ログオンテーブル１３００に記憶されているか否かを判定する。
【０２３５】
制御装置１１０は、医療従事者ログオンテーブル１３００に記憶されていると判定した場合、ログオンに成功したと判定して、集計テーブル１２００のうちでプロジェクトＩＤ項目に、医療従事者が担当するプロジェクトのプロジェクトＩＤが設定されたレコードを特定する。そして、制御装置１１０は、医療従事者用装置１１３に、特定したレコードに基づく、医療従事者が操作する精神疾患予防画面の画面情報を作成して、送信する。
【０２３６】
精神疾患予防画面は、特定したレコードの日付項目の日付と、ニコニコ平均値項目の平均値と、ニコニコ参加率項目の参加率と、サンクス入力数項目の入力数と、サンクス参加率項目の参加率とを含む。また、精神疾患予防画面は、特定したレコードの所見数項目の所見数と、所見受信日付項目の日付とを含んでもよい。
【０２３７】
一方で、制御装置１１０は、医療従事者ログオンテーブル１３００に記憶されていないと判定した場合、ログオンに失敗したとして、ログオンに失敗したことを示す情報を医療従事者用装置１１３に送信する。これにより、精神疾患予防支援システム１００は、医療従事者以外の者が、医療従事者用装置１１３を使用して、メンバーの指標値、コメント、サンクストークン、メンバーの指標値およびサンクストークンに基づく統計情報を閲覧することを防止することができる。
【０２３８】
ここでは、制御装置１１０が、医療従事者が一つのプロジェクトを担当する者である場合について説明したが、これに限らない。例えば、医療従事者が複数のプロジェクトを担当する者であってもよい。
【０２３９】
この場合、制御装置１１０は、複数のプロジェクトのプロジェクトＩＤのうちのいずれかのプロジェクトＩＤを選択するプロジェクト選択画面の画面情報を作成して、医療従事者用装置１１３に送信する。このとき、プロジェクト選択画面は、各々のプロジェクトにおける所見の数を有してもよい。そして、制御装置１１０は、医療従事者用装置１１３によって選択されたプロジェクトＩＤを受け付け、集計テーブル１２００のうちで、受け付けたプロジェクトＩＤがプロジェクトＩＤ項目に設定されたレコードを特定する。次に、制御装置１１０は、特定したレコードに基づく、医療従事者が操作する精神疾患予防画面の画面情報を作成して、医療従事者用装置１１３に送信する。
【０２４０】
〈医療従事者の操作〉
次に、図２６を用いて、医療従事者の操作の一例について説明する。
【０２４１】
図２６は、医療従事者の操作の一例を示す説明図である。図２６の例では、医療従事者用装置１１３は、精神状態管理画面２６００の画面情報を受信したことに応じて、出力装置３０４を用いて、精神状態管理画面２６００を表示する。
【０２４２】
精神状態管理画面２６００は、グループに属するメンバーの精神状態を表す指標値の平均値と、グループに属するメンバーのうちで精神状態を表す指標値を入力したメンバーの割合を表す参加率と、を有する。また、精神状態管理画面２６００は、グループに属するメンバーのうちサンクストークンを入力したメンバーの数を表す入力数と、グループに属するメンバーのうちサンクストークンを入力したメンバーの割合を表す参加率とを有する。
【０２４３】
また、精神状態管理画面２６００は、支援者から通報されたメンバーＩＤを選択する選択欄を有してもよい。また、精神状態管理画面２６００は、プロジェクトに属するメンバーに対する支援者からの所見の数と、所見を受信した最新の日付とを有してもよい。また、精神状態管理画面２６００は、プロジェクトに属するメンバーに対する支援者からの所見の内容を有してもよい。そして、医療従事者用装置１１３は、選択欄に入力されたメンバーＩＤを制御装置１１０に送信してもよい。
【０２４４】
制御装置１１０は、選択欄に入力されたメンバーＩＤを受信すると、受信したメンバーＩＤに対応付けて、ニコニコマークテーブル５００に記憶された指標値を特定する。また、制御装置１１０は、受信したメンバーＩＤに対応付けて、つぶやきテーブル６００に記憶されたコメントの内容、または一言アドバイスの内容を特定する。また、制御装置１１０は、受信したメンバーＩＤに対応付けて、サンクストークンテーブル７００に記憶されたサンクストークンの内容を特定する。
【０２４５】
そして、制御装置１１０は、特定した情報を含む、メンバー状態管理画面の画面情報を第３の情報処理装置に送信してもよい。これにより、医療従事者は、第３の情報処理装置を用いて、通報が必要であると判断されたメンバーについての詳細な情報を閲覧することができ、メンバーの精神疾患の予防を重点的に行うことができ、精神疾患を防ぐ。また、医療従事者は、所見の数、および所見の内容を閲覧して、メンバーの精神状態を把握したり、グループがメンバーに精神疾患を発生させやすい環境になっているか否かを判断したりすることができる。
【０２４６】
なお、上述したように、医療従事者が複数のプロジェクトを担当する者であってもよい。この場合、医療従事者用装置１１３は、精神状態管理画面２６００を表示する前に、プロジェクト選択画面の画面情報を受信し、プロジェクト選択画面を表示してプロジェクト選択画面において選択されたプロジェクトＩＤを制御装置１１０に送信することになる。このとき、医療従事者用装置１１３は、プロジェクト選択画面に各々のプロジェクトにおける所見の数を表示して、医療従事者が所見の数が相対的に多いプロジェクト、すなわち精神疾患を発生させやすい環境になっているおそれがあるプロジェクトを把握することができるようにしてもよい。そして、医療従事者用装置１１３は、送信したプロジェクトＩＤに対応する精神状態管理画面２６００の画面情報を受信し、精神状態管理画面２６００を表示する。
【０２４７】
（メンバーからのアクセスに対する制御装置１１０の応答処理手順）
次に、図２７〜図３２を用いて、プロジェクトのグループに属するメンバーからのアクセスに対する制御装置１１０の応答処理手順の一例について説明する。
【０２４８】
図２７〜図３２は、メンバーからのアクセスに対する制御装置１１０の応答処理手順の一例を示すフローチャートである。図２７において、制御装置１１０は、メンバー用装置１１１からメンバーのログオン画面１６００のアドレスへのアクセスを受け付ける（ステップＳ２７０１）。
【０２４９】
次に、制御装置１１０は、メンバー用装置１１１の機器ＩＤが登録済みか否かを判定する（ステップＳ２７０２）。ここで、登録済みである場合（ステップＳ２７０２：Ｙｅｓ）、制御装置１１０は、ログオンテーブル４００に基づいて、機器ＩＤに対応するメンバーＩＤを特定する（ステップＳ２７０３）。そして、制御装置１１０は、図２８のステップＳ２８０１の処理に移行する。
【０２５０】
一方で、登録済みではない場合（ステップＳ２７０２：Ｎｏ）、制御装置１１０は、メンバーのログオン画面１６００の画面情報をメンバー用装置１１１に送信する（ステップＳ２７０４）。次に、制御装置１１０は、メンバーのログオン画面１６００に入力されたメンバーＩＤとパスワードとを受け付ける（ステップＳ２７０５）。
【０２５１】
そして、制御装置１１０は、受け付けたメンバーＩＤとパスワードとの組み合わせを、ログオンテーブル４００の記憶内容と照合する（ステップＳ２７０６）。次に、制御装置１１０は、受け付けたメンバーＩＤとパスワードとの組み合わせが、ログオンテーブル４００のメンバーＩＤ項目のメンバーＩＤとパスワード項目のパスワードの組み合わせと一致するか否かを判定する（ステップＳ２７０７）。
【０２５２】
ここで、一致しない場合（ステップＳ２７０７：Ｎｏ）、制御装置１１０は、ステップＳ２７０４の処理に戻る。一方で、一致する場合（ステップＳ２７０７：Ｙｅｓ）、制御装置１１０は、機器ＩＤを登録するか否かを判定する（ステップＳ２７０８）。ここで、機器ＩＤを登録しない場合（ステップＳ２７０８：Ｎｏ）、制御装置１１０は、図２８のステップＳ２８０１の処理に移行する。一方で、機器ＩＤを登録する場合（ステップＳ２７０８：Ｙｅｓ）、制御装置１１０は、ログオンテーブル４００に機器ＩＤを登録して（ステップＳ２７０９）、図２８のステップＳ２８０１の処理に移行する。
【０２５３】
図２８において、制御装置１１０は、初期画面１７００の画面情報をメンバー用装置１１１に送信する（ステップＳ２８０１）。次に、制御装置１１０は、ショート日記が選択されたか否かを判定する（ステップＳ２８０２）。ここで、ショート日記が選択された場合（ステップＳ２８０２：Ｙｅｓ）、制御装置１１０は、図２９のステップＳ２９０１の処理に移行する。
【０２５４】
一方で、ショート日記が選択されなかった場合（ステップＳ２８０２：Ｎｏ）、制御装置１１０は、サンクストークン送信が選択されたか否かを判定する（ステップＳ２８０３）。ここで、サンクストークン送信が選択された場合（ステップＳ２８０３：Ｙｅｓ）、制御装置１１０は、図３０のステップＳ３００１の処理に移行する。
【０２５５】
一方で、サンクストークン送信が選択されなかった場合（ステップＳ２８０３：Ｎｏ）、制御装置１１０は、サンクストークン受信が選択されたか否かを判定する（ステップＳ２８０４）。ここで、サンクストークン受信が選択された場合（ステップＳ２８０４：Ｙｅｓ）、制御装置１１０は、図３１のステップＳ３１０１の処理に移行する。
【０２５６】
一方で、サンクストークン受信が選択されなかった場合（ステップＳ２８０４：Ｎｏ）、制御装置１１０は、一言アドバイスが選択されたか否かを判定する（ステップＳ２８０５）。ここで、一言アドバイスが選択された場合（ステップＳ２８０５：Ｙｅｓ）、制御装置１１０は、図３２のステップＳ３２０１の処理に移行する。
【０２５７】
一方で、一言アドバイスが選択されなかった場合（ステップＳ２８０５：Ｎｏ）、制御装置１１０は、ログオフをして（ステップＳ２８０６）、メンバーからのアクセスに対する応答処理を終了する。
【０２５８】
図２９において、制御装置１１０は、メンバーの精神状態を表す指標値を入力する入力欄１８０３と、メンバーのコメントを入力する入力欄１８０６となどを有するショート日記画面１８００の画面情報を作成する（ステップＳ２９０１）。次に、制御装置１１０は、作成したショート日記画面１８００の画面情報をメンバー用装置１１１に送信する（ステップＳ２９０２）。
【０２５９】
そして、制御装置１１０は、ショート日記画面１８００に入力された入力内容を受信する（ステップＳ２９０３）。次に、制御装置１１０は、入力内容に基づいて、ニコニコマークテーブル５００と、つぶやきテーブル６００とを更新する（ステップＳ２９０４）。そして、制御装置１１０は、図２８のステップＳ２８０１の処理に戻る。
【０２６０】
図３０において、制御装置１１０は、メンバーリストテーブル８００のうちでメンバーＩＤ項目にメンバーＩＤが設定されたレコードを特定して、特定したレコードのプロジェクトＩＤ項目に設定されたプロジェクトＩＤを抽出する（ステップＳ３００１）。
【０２６１】
次に、制御装置１１０は、メンバーリストテーブル８００のうちでプロジェクトＩＤ項目に抽出したプロジェクトＩＤが設定されたすべてのレコードを特定し、特定したレコードのメンバーＩＤ項目に設定されたメンバーＩＤを抽出する（ステップＳ３００２）。
【０２６２】
そして、制御装置１１０は、抽出したメンバーＩＤから、サンクストークン送信画面１９００の画面情報を作成する（ステップＳ３００３）。サンクストークン送信画面１９００は、例えば、サンクストークンの宛先を選択する選択欄１９０１と、サンクストークンの内容を入力する入力欄１９０２と、サンクストークンを送信する送信ボタン１９０３とを有する。
【０２６３】
次に、制御装置１１０は、作成したサンクストークン送信画面１９００の画面情報をメンバー用装置１１１に送信する（ステップＳ３００４）。そして、制御装置１１０は、サンクストークン送信画面１９００に入力された入力内容を受信する（ステップＳ３００５）。
【０２６４】
次に、制御装置１１０は、入力内容に基づいて、サンクストークンテーブル７００を更新する（ステップＳ３００６）。そして、制御装置１１０は、図２８のステップＳ２８０１の処理に戻る。
【０２６５】
図３１において、制御装置１１０は、サンクストークンテーブル７００のうちでメンバーＩＤが宛先メンバーＩＤ項目に設定されたレコードを特定して、特定したレコードのメンバーＩＤ項目のメンバーＩＤが示すメンバーと、日付項目の日付とを抽出する（ステップＳ３１０１）。
【０２６６】
次に、制御装置１１０は、抽出したメンバーＩＤと日付とを含むサンクストークン受信画面２０００の画面情報を作成する（ステップＳ３１０２）。そして、制御装置１１０は、作成したサンクストークン受信画面２０００の画面情報をメンバー用装置１１１に送信する（ステップＳ３１０３）。次に、制御装置１１０は、サンクストークン受信画面２０００に入力された入力内容を受信する（ステップＳ３１０４）。
【０２６７】
そして、制御装置１１０は、入力内容に基づいて、サンクストークンテーブル７００のうちで入力内容がメンバーＩＤ項目と日付項目とに設定されたレコードを特定して、特定したレコードのサンクストークン項目のサンクストークンの内容を抽出する（ステップＳ３１０５）。
【０２６８】
次に、制御装置１１０は、抽出したメンバーＩＤと日付とを含み、さらに、抽出したサンクストークンの内容を含む、サンクストークン受信画面２０００の画面情報を作成する（ステップＳ３１０６）。そして、制御装置１１０は、作成したサンクストークン受信画面２０００の画面情報をメンバー用装置１１１に送信して（ステップＳ３１０７）、図２８のステップＳ２８０１の処理に戻る。
【０２６９】
図３２において、制御装置１１０は、つぶやきテーブル６００のうちで、メンバーＩＤがメンバーＩＤ項目に設定されたレコードを特定して、特定したレコードの日付項目の日付とフラグ項目のフラグとを抽出する（ステップＳ３２０１）。
【０２７０】
次に、制御装置１１０は、抽出した日付とフラグとの組み合わせを含む一言アドバイス画面２１００の画面情報を作成する（ステップＳ３２０２）。そして、制御装置１１０は、作成した一言アドバイス画面２１００の画面情報をメンバー用装置１１１に送信する（ステップＳ３２０３）。
【０２７１】
次に、制御装置１１０は、一言アドバイス画面２１００に入力された入力内容を受信する（ステップＳ３２０４）。そして、制御装置１１０は、つぶやきテーブル６００の受信した入力内容が日付項目とフラグ項目に設定されたレコードを特定して、特定したレコードのつぶやき項目のコメントの内容、または一言アドバイスの内容を抽出する（ステップＳ３２０５）。
【０２７２】
次に、制御装置１１０は、抽出した日付とフラグとの組み合わせを含み、さらに、抽出した内容を含む一言アドバイス画面２１００の画面情報を作成する（ステップＳ３２０６）。そして、制御装置１１０は、作成した一言アドバイス画面２１００の画面情報をメンバー用装置１１１に送信して（ステップＳ３２０７）、図２８のステップＳ２８０１の処理に戻る。
【０２７３】
（制御装置１１０の集計処理手順）
次に、図３３を用いて、受信した指標値やサンクストークンに対する制御装置１１０の集計処理手順の一例について説明する。
【０２７４】
図３３は、制御装置１１０の集計処理手順の一例を示すフローチャートである。図３３において、制御装置１１０は、複数のプロジェクトのプロジェクトＩＤのうちの未選択のプロジェクトＩＤを選択する（ステップＳ３３０１）。
【０２７５】
次に、制御装置１１０は、メンバーリストテーブル８００のうちで、所定の日付が日付項目に設定され、かつ、選択したプロジェクトＩＤがプロジェクトＩＤ項目に設定されたすべてのレコードを特定する。そして、制御装置１１０は、特定したレコードのメンバーＩＤ項目のメンバーＩＤを抽出する（ステップＳ３３０２）。
【０２７６】
そして、制御装置１１０は、ニコニコマークテーブル５００のうちで、抽出したメンバーＩＤがメンバーＩＤ項目に設定されたレコードを特定して、特定したレコードの指標値項目の指標値を抽出して、抽出した指標値の平均値を算出する（ステップＳ３３０３）。次に、制御装置１１０は、特定したレコードの割合を算出する（ステップＳ３３０４）。
【０２７７】
そして、制御装置１１０は、サンクストークンテーブル７００のうちで、抽出したメンバーＩＤがメンバーＩＤ項目に設定されたレコードを特定して、レコードの数を算出する（ステップＳ３３０５）。次に、制御装置１１０は、特定したレコードの割合を算出する（ステップＳ３３０６）。
【０２７８】
そして、制御装置１１０は、指標値の平均値と、指標値の割合と、レコードの数と、レコードの割合とを対応付けたレコードを集計テーブル１２００に登録する（ステップＳ３３０７）。次に、制御装置１１０は、すべてのプロジェクトＩＤを選択したか否かを判定する（ステップＳ３３０８）。
【０２７９】
ここで、すべてのプロジェクトＩＤを選択していない場合（ステップＳ３３０８：Ｎｏ）、制御装置１１０は、ステップＳ３３０１の処理に戻る。一方で、すべてのプロジェクトＩＤを選択している場合（ステップＳ３３０８：Ｙｅｓ）、制御装置１１０は、集計処理を終了する。
【０２８０】
（支援者からのアクセスに対する制御装置１１０の応答処理手順）
次に、図３４〜図３６を用いて、プロジェクトのグループに属するメンバーを支援する支援者からのアクセスに対する制御装置１１０の応答処理手順の一例について説明する。
【０２８１】
図３４〜図３６は、支援者からのアクセスに対する制御装置１１０の応答処理手順の一例を示すフローチャートである。図３４において、制御装置１１０は、支援者用装置１１２から支援者のログオン画面のアドレスへのアクセスを受け付ける（ステップＳ３４０１）。
【０２８２】
次に、制御装置１１０は、ログオン画面の画面情報を支援者用装置１１２に送信する（ステップＳ３４０２）。そして、制御装置１１０は、ログオン画面に入力された支援者ＩＤとパスワードとを受け付ける（ステップＳ３４０３）。
【０２８３】
次に、制御装置１１０は、受け付けた支援者ＩＤとパスワードとの組み合わせを、支援者ログオンテーブル１１００の記憶内容と照合する（ステップＳ３４０４）。そして、制御装置１１０は、受け付けた支援者ＩＤとパスワードとの組み合わせが、支援者ログオンテーブル１１００の支援者ＩＤ項目の支援者ＩＤとパスワード項目のパスワードの組み合わせと一致するか否かを判定する（ステップＳ３４０５）。
【０２８４】
ここで、一致しない場合（ステップＳ３４０５：Ｎｏ）、制御装置１１０は、ステップＳ３４０２の処理に戻る。一方で、一致する場合（ステップＳ３４０５：Ｙｅｓ）、制御装置１１０は、図３５のステップＳ３５０１の処理に移行する。
【０２８５】
図３５において、制御装置１１０は、プロジェクト管理者リストテーブル１０００のうちで、受け付けた支援者ＩＤが支援者ＩＤ項目に設定されたレコードを特定する。そして、制御装置１１０は、特定したレコードのプロジェクトＩＤ項目に設定されたプロジェクトＩＤを抽出する（ステップＳ３５０１）。
【０２８６】
次に、制御装置１１０は、メンバーリストテーブル８００のうちで、抽出したプロジェクトＩＤがプロジェクトＩＤ項目に設定されたすべてのレコードを特定する。そして、制御装置１１０は、特定したレコードのメンバーＩＤ項目のメンバーＩＤを含む、メンバー選択画面２４００の画面情報を作成し、支援者用装置１１２に送信する（ステップＳ３５０２）。
【０２８７】
そして、制御装置１１０は、メンバー選択画面２４００に入力されたメンバーＩＤを受信する（ステップＳ３５０３）。次に、制御装置１１０は、つぶやきテーブル６００のうちで、受信したメンバーＩＤがメンバーＩＤ項目に設定されたすべてのレコードを特定して、特定したレコードのつぶやき項目のコメントの内容、または一言アドバイスの内容を抽出する（ステップＳ３５０４）。
【０２８８】
そして、制御装置１１０は、抽出したコメントの内容、および一言アドバイスの内容を含む、一言アドバイス入力画面２５００の画面情報を作成する（ステップＳ３５０５）。次に、制御装置１１０は、作成した一言アドバイス入力画面２５００の画面情報を支援者用装置１１２に送信する（ステップＳ３５０６）。
【０２８９】
そして、制御装置１１０は、一言アドバイス入力画面２５００に入力された入力内容を受信する（ステップＳ３５０７）。次に、制御装置１１０は、入力内容が一言アドバイスの内容であるか否かを判定する（ステップＳ３５０８）。ここで、一言アドバイスの内容である場合（ステップＳ３５０８：Ｙｅｓ）、制御装置１１０は、つぶやきテーブル６００を更新して（ステップＳ３５０９）、支援者からのアクセスに対する応答処理を終了する。
【０２９０】
一方で、一言アドバイスの内容ではなく、医療従事者への通報が必要であることを示す情報である場合（ステップＳ３５０８：Ｎｏ）、制御装置１１０は、図３６のステップＳ３６０１の処理に移行する。
【０２９１】
図３６において、制御装置１１０は、通報が必要なメンバーのメンバーＩＤに対応する氏名など、メンバーを特定する情報を含む通報情報を作成する（ステップＳ３６０１）。次に、制御装置１１０は、作成した通報情報を医療従事者用装置１１３に送信する（ステップＳ３６０２）。そして、制御装置１１０は、集計テーブル１２００の所見数項目をインクリメントして、所見受信日付項目に入力内容を受信した日付を設定して（ステップＳ３６０３）、支援者からのアクセスに対する応答処理を終了する。なお、医療従事者に割り当てられたメールアドレスへ、通報情報を送信することにより、メールアドレスを医療従事者の識別情報として利用し、当該メールを受信するコンピュータを医療従事者用装置１１３として利用してもよい。
【０２９２】
（医療従事者からのアクセスに対する制御装置１１０の応答処理手順）
次に、図３７を用いて、医療従事者からのアクセスに対する制御装置１１０の応答処理手順の一例について説明する。
【０２９３】
図３７は、医療従事者からのアクセスに対する制御装置１１０の応答処理手順の一例を示すフローチャートである。図３７において、制御装置１１０は、医療従事者用装置１１３から医療従事者のログオン画面のアドレスへのアクセスを受け付ける（ステップＳ３７０１）。
【０２９４】
次に、制御装置１１０は、ログオン画面の画面情報を医療従事者用装置１１３に送信する（ステップＳ３７０２）。そして、制御装置１１０は、ログオン画面に入力された医療従事者ＩＤとパスワードとを受け付ける（ステップＳ３７０３）。
【０２９５】
そして、制御装置１１０は、受け付けた医療従事者ＩＤとパスワードとの組み合わせを、医療従事者ログオンテーブル１３００の記憶内容と照合する（ステップＳ３７０４）。次に、制御装置１１０は、受け付けた医療従事者ＩＤとパスワードとの組み合わせが、医療従事者ログオンテーブル１３００の医療従事者ＩＤ項目の医療従事者ＩＤとパスワード項目のパスワードの組み合わせと一致するか否かを判定する（ステップＳ３７０５）。
【０２９６】
ここで、一致しない場合（ステップＳ３７０５：Ｎｏ）、制御装置１１０は、ステップＳ３７０２の処理に戻る。一方で、一致する場合（ステップＳ３７０５：Ｙｅｓ）、制御装置１１０は、集計テーブル１２００のプロジェクトＩＤ項目に設定されたプロジェクトＩＤを含む、プロジェクト選択画面の画面情報を医療従事者用装置１１３に送信する（ステップＳ３７０６）。プロジェクト選択画面は、集計テーブル１２００に記憶してある統計情報と共に、所見数と、所見数が更新された更新日時とを合わせて表示するように画面情報を生成してもよい。また、プロジェクト選択画面は、所見数が更新された更新日時の新しい順にソートして表示するように画面情報を生成してもよい。
【０２９７】
次に、制御装置１１０は、プロジェクト選択画面に入力されたプロジェクトＩＤを受信する（ステップＳ３７０７）。そして、制御装置１１０は、集計テーブル１２００のうちで、受信したプロジェクトＩＤがプロジェクトＩＤ項目に設定されたレコードを特定して、特定したレコードの各項目の内容を含む、精神状態管理画面２６００の画面情報を作成する（ステップＳ３７０８）。
【０２９８】
次に、制御装置１１０は、作成した精神状態管理画面２６００の画面情報を医療従事者用装置１１３に送信する（ステップＳ３７０９）。そして、制御装置１１０は、医療従事者からのアクセスに対する応答処理を終了する。
【０２９９】
（プロジェクト管理者からのアクセスに対する制御装置１１０の応答処理手順）
次に、図３８を用いて、プロジェクト管理者からのアクセスに対する制御装置１１０の応答処理手順の一例について説明する。
【０３００】
図３８は、プロジェクト管理者からのアクセスに対する制御装置１１０の応答処理手順の一例を示すフローチャートである。図３８において、制御装置１１０は、プロジェクト管理者用装置１１４からプロジェクト管理者のログオン画面２２００のアドレスへのアクセスを受け付ける（ステップＳ３８０１）。
【０３０１】
次に、制御装置１１０は、プロジェクト管理者のログオン画面の画面情報をプロジェクト管理者用装置１１４に送信する（ステップＳ３８０２）。そして、制御装置１１０は、ログオン画面に入力されたプロジェクト管理者ＩＤとパスワードとを受け付ける（ステップＳ３８０３）。
【０３０２】
そして、制御装置１１０は、受け付けたプロジェクト管理者ＩＤとパスワードとの組み合わせを、プロジェクト管理者ログオンテーブル９００の記憶内容と照合する（ステップＳ３８０４）。次に、制御装置１１０は、受け付けたプロジェクト管理者ＩＤとパスワードとの組み合わせが、プロジェクト管理者ログオンテーブル９００のプロジェクト管理者ＩＤ項目のプロジェクト管理者ＩＤとパスワード項目のパスワードの組み合わせと一致するか否かを判定する（ステップＳ３８０５）。
【０３０３】
ここで、一致しない場合（ステップＳ３８０５：Ｎｏ）、制御装置１１０は、ステップＳ３８０２の処理に戻る。一方で、一致する場合（ステップＳ３８０５：Ｙｅｓ）、制御装置１１０は、集計テーブル１２００のプロジェクトＩＤ項目に設定されたプロジェクトＩＤを含む、プロジェクト選択画面の画面情報をプロジェクト管理者用装置１１４に送信する（ステップＳ３８０６）。
【０３０４】
次に、制御装置１１０は、プロジェクト選択画面に入力されたプロジェクトＩＤを受信する（ステップＳ３８０７）。そして、制御装置１１０は、集計テーブル１２００のうちで、受信したプロジェクトＩＤがプロジェクトＩＤ項目に設定されたレコードを特定して、特定したレコードの各項目の内容を含む、グループ管理画面２３００の画面情報を作成する（ステップＳ３８０８）。
【０３０５】
次に、制御装置１１０は、作成したグループ管理画面２３００の画面情報をプロジェクト管理者用装置１１４に送信する（ステップＳ３８０９）。そして、制御装置１１０は、プロジェクト管理者からのアクセスに対する応答処理を終了する。
【０３０６】
以上説明したように、精神疾患予防支援システム１００によれば、グループに属するメンバーが入力したコメントを、グループに属さない支援者に送信することにより、メンバーの精神疾患の予兆を発見する機会を支援者にまで広げることができる。また、精神疾患予防支援システム１００によれば、メンバーが入力したコメントを、グループに属する他のメンバーには閲覧させず、グループに属さない支援者に閲覧させることができる。これにより、精神疾患予防支援システム１００は、メンバーが、グループに属する他のメンバーとの人間関係およびグループに属しグループを管理するプロジェクト管理者からの人事評価などを気にすることなくコメントを入力することができる環境を提供することができる。
【０３０７】
また、精神疾患予防支援システム１００によれば、メンバーが入力した指標値の統計情報を算出し、グループに属し、グループを管理するプロジェクト管理者が使用するプロジェクト管理者用装置１１４に、算出した統計情報を送信してもよい。また、精神疾患予防支援システム１００によれば、メンバーが入力した他のメンバーへのサンクストークンの統計情報を算出し、グループに属し、グループを管理するプロジェクト管理者が使用するプロジェクト管理者用装置１１４に、算出した統計情報を送信してもよい。
【０３０８】
これにより、精神疾患予防支援システム１００は、プロジェクト管理者にグループの状態を把握させて、プロジェクト管理者にグループの状態改善を促すことができる。また、精神疾患予防支援システム１００によれば、グループに属するプロジェクト管理者には、指標値やサンクストークンそのものを閲覧させることなく、指標値やサンクストークンに基づく統計情報にしてから閲覧させることができる。これにより、精神疾患予防支援システム１００は、メンバーが、グループに属する他のメンバーとの人間関係およびグループに属しグループを管理するプロジェクト管理者からの人事評価などを気にすることなく、指標値やサンクストークンを入力することができる環境を提供することができる。
【０３０９】
また、精神疾患予防支援システム１００によれば、指標値の統計情報を医療従事者に提供して、医療従事者にグループの状態を把握させることができ、医療従事者が精神疾患の対策をすることを支援することができる。また、精神疾患予防支援システム１００によれば、医療従事者が複数のグループの各々のグループに属するすべてのメンバーの精神状態を監視しなくてもよくなる。これにより、医療従事者の負担を低減することができ、医療従事者は、精神疾患の可能性があるメンバーに集中して精神疾患の対策をすることができる。
【０３１０】
また、精神疾患予防支援システム１００によれば、メンバーが入力した指標値の統計情報を算出し、グループに属し、グループを管理するプロジェクト管理者が使用するプロジェクト管理者用装置１１４に、算出した統計情報を送信することができる。これにより、精神疾患予防支援システム１００は、プロジェクト管理者にグループの状態を把握させて、プロジェクト管理者にグループの状態改善を促すことができる。また、精神疾患予防支援システム１００によれば、グループに属するプロジェクト管理者には、指標値そのものを閲覧させることなく、指標値に基づく統計情報にしてから閲覧させることができる。これにより、精神疾患予防支援システム１００は、メンバーが、グループに属する他のメンバーとの人間関係およびグループに属しグループを管理するプロジェクト管理者からの人事評価などを気にすることなく、指標値を入力することができる環境を提供することができる。
【０３１１】
また、精神疾患予防支援システム１００によれば、メンバーに、メンバーが使用するメンバー用装置１１１によって、他のメンバーからのサンクストークンを閲覧させることができる。これにより、精神疾患予防支援システム１００は、メンバーの間の交流を活性化して、精神疾患の予防を支援することができる。また、精神疾患予防支援システム１００によれば、サンクストークンの統計情報を医療従事者に提供して、医療従事者にメンバーの間の交流の度合いを把握させることができ、医療従事者が精神疾患の対策をすることを支援することができる。
【０３１２】
また、精神疾患予防支援システム１００によれば、メンバーに、メンバーが使用するメンバー用装置１１１によって、メンバーに対する支援者からの一言アドバイスを閲覧させることができる。これにより、精神疾患予防支援システム１００は、一言アドバイスのやり取りによりメンバーと支援者との交流を活性化して、精神疾患の予防を支援することができる。また、精神疾患予防支援システム１００によれば、メンバーと支援者との交流を活性化して、支援者に閲覧されるメンバーのコメントを入力しやすい環境を提供することができる。
【０３１３】
また、精神疾患予防支援システム１００によれば、メンバー用装置１１１からメンバーの認証情報を受信して、メンバーの認証に成功してから、メンバー用装置１１１と情報をやり取りすることができる。これにより、精神疾患予防支援システム１００は、メンバー以外の者が、メンバー用装置１１１を使用して、メンバーの指標値を入力したり、メンバーのコメント、およびサンクストークンを閲覧したりすることを防止することができる。
【０３１４】
また、精神疾患予防支援システム１００によれば、支援者用装置１１２から支援者の認証情報を受信して、支援者の認証に成功してから、支援者用装置１１２と情報をやり取りすることができる。これにより、精神疾患予防支援システム１００は、支援者以外の者が、支援者用装置１１２を使用して、メンバーのコメントなどを閲覧したりすることを防止することができる。
【０３１５】
また、精神疾患予防支援システム１００によれば、医療従事者用装置１１３から医療従事者の認証情報を受信して、医療従事者の認証に成功してから、医療従事者用装置１１３と情報をやり取りすることができる。これにより、精神疾患予防支援システム１００は、医療従事者以外の者が、医療従事者用装置１１３を使用して、メンバーの指標値、コメント、サンクストークン、メンバーの指標値およびサンクストークンに基づく統計情報を閲覧することを防止することができる。
【０３１６】
また、精神疾患予防支援システム１００によれば、プロジェクト管理者用装置１１４からプロジェクト管理者の認証情報を受信して、プロジェクト管理者の認証に成功してから、プロジェクト管理者用装置１１４と情報をやり取りすることができる。これにより、精神疾患予防支援システム１００は、プロジェクト管理者以外の者が、プロジェクト管理者用装置１１４を使用して、メンバーの指標値、およびサンクストークンに基づく統計情報を閲覧することを防止することができる。
【０３１７】
また、精神疾患予防支援システム１００によれば、メンバーが主観に基づいて入力した指標値やコメントを、支援者や医療従事者に閲覧させることができ、メンバーの精神状態を把握しやすくする環境を提供することができる。また、精神疾患予防支援システム１００によれば、外部のカウンセリングに関する知識を有する支援者を有効に活用して、精神疾患支援の予防を支援することができる。また、精神疾患予防支援システム１００によれば、医療従事者に、各々のテーブルの記憶内容と、実際に精神疾患にかかったメンバーと、を参照させることにより、精神疾患にかかる場合の各々のテーブルの内容の規則性を発見しやすくする環境を提供することができる。
【０３１８】
ここで、従来では、医療従事者が相談ブースなどを設けてメンバーからの相談を受け付けることが行われている。しかしながら、この場合、メンバーの自覚症状がなく相談に訪れない場合、またはメンバーが相談にかける時間が不足している場合などには、精神疾患の予防ができないことがある。また、この場合、メンバーの精神疾患が軽度なうちに発見することができないことがある。また、この場合、近年の労働環境の多様化によって、自宅勤務をするメンバー、他社に出向して勤務するメンバー、または複数の会社から集まったメンバーなど多様なメンバーがいる場合には、医療従事者が対応できないことがある。
【０３１９】
一方で、本実施の形態の精神疾患予防支援システム１００によれば、メンバーが入力した精神状態を表す指標値に基づいて精神疾患の発見を支援することができる。このため、本実施の形態の精神疾患予防支援システム１００によれば、メンバーが精神状態を表す指標値を入力すればよく、医療従事者に相談する場合に比べて、メンバーが気軽に参加できる環境を提供することができる。また、本実施の形態の精神疾患予防支援システム１００によれば、多様なメンバーがいる場合であっても、各々のメンバーがメンバー用装置１１１から指標値やコメントを入力すればよいため、多様なメンバーがいる場合にも対応することができ、精神疾患の予兆の発見を支援することができる。
【０３２０】
ここで、従来では、年に複数回、ストレスチェックなどのテストを行って、メンバーの精神疾患を検査することが行われている。しかしながら、この場合、ストレスチェックなどのテストにかかる時間が膨大になってしまう。また、この場合、鬱病などの精神疾患の予兆が出始めてから実際に鬱病などの精神疾患によって労働に支障が出るまでの期間といわれる２週間に比べて、テストの実施間隔が長いため、精神疾患の予兆を発見できない場合がある。
【０３２１】
一方で、本実施の形態の精神疾患予防支援システム１００によれば、メンバーが入力した精神状態を表す指標値に基づいて精神疾患の発見を支援することができる。このため、本実施の形態の精神疾患予防支援システム１００によれば、メンバーが精神状態を表す指標値を入力すればよく、ストレスチェックなどのテストを行う場合に比べて、メンバーが気軽に参加できる環境を提供することができる。
【０３２２】
また、本実施の形態の精神疾患予防支援システム１００によれば、メンバーがメンバー用装置１１１を用いてコメントをいつでも入力することができる。これにより、本実施の形態の精神疾患予防支援システム１００は、鬱病などの精神疾患の予兆が出始めてから実際に鬱病などの精神疾患によって労働に支障が出るまでの期間といわれる２週間における、メンバーからの精神疾患の予兆を発見しやすくする環境を提供することができる。
【０３２３】
なお、本実施の形態で説明した精神疾患予防支援方法は、予め用意されたプログラムをパーソナル・コンピュータやワークステーション等のコンピュータで実行することにより実現することができる。本精神疾患予防支援プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本精神疾患予防支援プログラムは、インターネット等のネットワークを介して配布してもよい。
【０３２４】
上述した実施の形態に関し、さらに以下の付記を開示する。
【０３２５】
（付記１）グループに属するメンバーを識別するメンバーの識別情報と、前記メンバーを支援する支援者を識別する支援者の識別情報と、医療従事者を識別する医療従事者の識別情報とを記憶する利用者記憶部を有するコンピュータが、
前記メンバーの識別情報に対応する第１の情報処理装置に、前記メンバーのコメントと精神状態を表す指標値とを入力する第１の入力画面を表す画面情報を送信し、
前記第１の情報処理装置から前記第１の入力画面に入力された前記コメントまたは／および前記指標値を受信し、
受信した前記コメントまたは／および前記指標値を前記メンバーの識別情報に対応付けて記憶部に記憶し、
前記支援者の識別情報に対応する第２の情報処理装置に、前記メンバーの識別情報に対応付けて前記記憶部に記憶されたコメントと、前記医療従事者への通報の要否を示す情報を入力する第２の入力画面を表す画面情報と、を送信し、
前記第２の情報処理装置から前記第２の入力画面に入力された前記医療従事者への通報が必要であることを示す情報を受信したことに応じて、前記医療従事者の識別情報に対応する第３の情報処理装置に、前記メンバーの識別情報に対応付けて記憶された情報を送信する、
処理を実行することを特徴とする精神疾患予防支援方法。
【０３２６】
（付記２）前記利用者記憶部は、前記グループを管理する管理者を識別する管理者の識別情報を記憶し、
前記コンピュータが、
前記管理者の識別情報に対応する第４の情報処理装置に、前記記憶部に記憶された指標値に基づく前記グループにおける指標値の統計情報を送信する、
処理を実行することを特徴とする付記１に記載の精神疾患予防支援方法。
【０３２７】
（付記３）前記コンピュータが、
前記グループに属する他のメンバーの識別情報に対応する第５の情報処理装置に、前記メンバーへのメッセージを入力する第３の入力画面を表す画面情報を送信し、
前記第５の情報処理装置から前記第３の入力画面に入力された前記メッセージを受信したことに応じて、前記メンバーの識別情報に対応付けて、前記他のメンバーの識別情報と、受信した前記メッセージとを、前記記憶部に記憶し、
前記第１の情報処理装置に、前記メンバーの識別情報に対応付けて前記記憶部に記憶された他のメンバーの識別情報とメッセージとを送信する、
処理を実行することを特徴とする付記１または２に記載の精神疾患予防支援方法。
【０３２８】
（付記４）前記コンピュータが、
前記第２の情報処理装置から前記第２の入力画面に入力された前記医療従事者への通報が必要であることを示す情報を受信したことに応じて、前記第３の情報処理装置に、前記メンバーの識別情報と、前記メンバーの識別情報に対応付けて前記記憶部に記憶された指標値と他のメンバーの識別情報とメッセージとを送信する、
処理を実行することを特徴とする付記３に記載の精神疾患予防支援方法。
【０３２９】
（付記５）前記コンピュータが、
前記グループを管理する管理者に対応する第４の情報処理装置に、前記記憶部に記憶された他のメンバーの識別情報とメッセージとに基づく前記グループにおけるメッセージの統計情報を送信する、
処理を実行することを特徴とする付記３または４に記載の精神疾患予防支援方法。
【０３３０】
（付記６）前記第２の入力画面は、さらに、前記メンバーのコメントに対する応答コメントを入力する画面であって、
前記コンピュータが、
前記第２の情報処理装置から前記第２の入力画面に入力された前記応答コメントを受信したことに応じて、前記メンバーの識別情報に対応付けて、受信した前記応答コメントを前記記憶部に記憶し、
前記第１の情報処理装置に、前記メンバーの識別情報に対応付けて前記記憶部に記憶された応答コメントを送信する、
処理を実行することを特徴とする付記１〜５のいずれか一つに記載の精神疾患予防支援方法。
【０３３１】
（付記７）前記コンピュータが、
前記第１の情報処理装置から前記メンバーの認証情報を受信したことに応じて、受信した前記認証情報に基づいて前記メンバーの認証を行う処理を実行し、
前記第１の入力画面を表す画面情報を送信する処理は、前記メンバーの認証に成功したことに応じて、前記第１の情報処理装置に、前記第１の入力画面を表す画面情報を送信することを特徴とする付記１〜６のいずれか一つに記載の精神疾患予防支援方法。
【０３３２】
（付記８）前記コンピュータが、
前記第２の情報処理装置から前記支援者の認証情報を受信したことに応じて、受信した前記認証情報に基づいて前記支援者の認証を行う処理を実行し、
前記第２の入力画面を表す画面情報を送信する処理は、前記支援者の認証に成功したことに応じて、前記第２の情報処理装置に、前記メンバーの識別情報に対応付けて前記記憶部に記憶されたコメントと、前記第２の入力画面を表す画面情報と、を送信することを特徴とする付記１〜７のいずれか一つに記載の精神疾患予防支援方法。
【０３３３】
（付記９）前記コンピュータが、
前記第３の情報処理装置から前記医療従事者の認証情報を受信したことに応じて、受信した前記認証情報に基づいて前記医療従事者の認証を行う処理を実行し、
前記指標値を送信する処理は、前記医療従事者の認証に成功したことに応じて、前記第３の情報処理装置に、前記メンバーの識別情報に対応付けて記憶された情報を送信することを特徴とする付記１〜８のいずれか一つに記載の精神疾患予防支援方法。
【０３３４】
（付記１０）コンピュータに、
利用者記憶部にグループに属するメンバーを識別するメンバーの識別情報と、前記メンバーを支援する支援者を識別する支援者の識別情報と、医療従事者を識別する医療従事者の識別情報とを記憶させ、
前記メンバーの識別情報に対応する第１の情報処理装置に、前記メンバーのコメントと精神状態を表す指標値とを入力する第１の入力画面を表す画面情報を送信し、
前記第１の情報処理装置から前記第１の入力画面に入力された前記コメントまたは／および前記指標値を受信し、
前記メンバーの識別情報に対応付けて、受信した前記コメントまたは／および前記指標値を記憶部に記憶し、
前記支援者の識別情報に対応する第２の情報処理装置に、前記メンバーの識別情報に対応付けて前記記憶部に記憶されたコメントと、前記医療従事者への通報の要否を示す情報を入力する第２の入力画面を表す画面情報と、を送信し、
前記第２の情報処理装置から前記第２の入力画面に入力された前記医療従事者への通報が必要であることを示す情報を受信したことに応じて、前記医療従事者の識別情報に対応する第３の情報処理装置に、前記メンバーの識別情報に対応付けて記憶された情報を送信する、
処理を実行させることを特徴とする精神疾患予防支援プログラム。
【０３３５】
（付記１１）グループに属するメンバーを識別するメンバーの識別情報と、前記メンバーを支援する支援者を識別する支援者の識別情報と、医療従事者を識別する医療従事者の識別情報とを記憶する利用者記憶部と、
前記メンバーの識別情報に対応する第１の情報処理装置に、前記メンバーのコメントと精神状態を表す指標値とを入力する第１の入力画面を表す画面情報を送信し、
前記第１の情報処理装置から前記第１の入力画面に入力された前記コメントまたは／および前記指標値を受信し、
受信した前記コメントまたは／および前記指標値を前記メンバーの識別情報に対応付けて記憶部に記憶し、
前記支援者の識別情報に対応する第２の情報処理装置に、前記メンバーの識別情報に対応付けて前記記憶部に記憶されたコメントと、前記医療従事者への通報の要否を示す情報を入力する第２の入力画面を表す画面情報と、を送信し、
前記第２の情報処理装置から前記第２の入力画面に入力された前記医療従事者への通報が必要であることを示す情報を受信したことに応じて、前記医療従事者の識別情報に対応する第３の情報処理装置に、前記メンバーの識別情報に対応付けて記憶された情報を送信する制御部と、
を有することを特徴とする精神疾患予防支援装置。
【符号の説明】
【０３３６】
１００  精神疾患予防支援システム
１１０  制御装置
１１１  メンバー用装置
１１２  支援者用装置
１１３  医療従事者用装置
１１４  プロジェクト管理者用装置
１４０１  記憶部
１４０２  通信部
１４０３  制御部
【図１】
2015052857.tif 000003
【図２】
2015052857.tif 000004
【図３】
2015052857.tif 000005
【図４】
2015052857.tif 000006
【図５】
2015052857.tif 000007
【図６】
2015052857.tif 000008
【図７】
2015052857.tif 000009
【図８】
2015052857.tif 000010
【図９】
2015052857.tif 000011
【図１０】
2015052857.tif 000012
【図１１】
2015052857.tif 000013
【図１２】
2015052857.tif 000014
【図１３】
2015052857.tif 000015
【図１４】
2015052857.tif 000016
【図１５】
2015052857.tif 000017
【図１６】
2015052857.tif 000018
【図１７】
2015052857.tif 000019
【図１８】
2015052857.tif 000020
【図１９】
2015052857.tif 000021
【図２０】
2015052857.tif 000022
【図２１】
2015052857.tif 000023
【図２２】
2015052857.tif 000024
【図２３】
2015052857.tif 000025
【図２４】
2015052857.tif 000026
【図２５】
2015052857.tif 000027
【図２６】
2015052857.tif 000028
【図２７】
2015052857.tif 000029
【図２８】
2015052857.tif 000030
【図２９】
2015052857.tif 000031
【図３０】
2015052857.tif 000032
【図３１】
2015052857.tif 000033
【図３２】
2015052857.tif 000034
【図３３】
2015052857.tif 000035
【図３４】
2015052857.tif 000036
【図３５】
2015052857.tif 000037
【図３６】
2015052857.tif 000038
【図３７】
2015052857.tif 000039
【図３８】
2015052857.tif 000040